(57)【要約】ユーザがブロックされているメディアアセットにアクセスすることを可能にするためのシステムおよび方法が、本明細書に提供される。これらのシステムおよび方法は、ユーザが、ブロックされているメディアアセットへのアクセスを承認することができる、両親または別のユーザが、視聴するためにブロックされているメディアアセットへのアクセスを承認することを要求することを可能にする。要求は、要求者ユーザから遠隔に存在し得る場合でも、両親または他のユーザが要求を承認することができるように、通知として、携帯電話または別の好適なデバイスに伝送されてもよい。要求者ユーザとその承認がメディアアセットをブロック解除するために要求されるユーザ（すなわち、承認者）は両方とも、各ユーザと関連付けられた識別子に基づいて、システムによって識別される。
2019508994.tif 000002
【特許請求の範囲】
【請求項１】
ユーザがブロックされているメディアアセットにアクセスすることを可能にするための方法であって、前記方法は、
第１のユーザ機器デバイスから、第１のユーザと関連付けられた第１の識別子を受信するステップと、
前記第１のユーザが前記第１のユーザに対してブロックされているメディアアセットにアクセスすることを可能にするための要求を受信するステップと、
前記第１のユーザと関連付けられた第１のプロフィール内において、前記第１のユーザに対して前記メディアアセットへのアクセスを承認する権限を有する、第２のプロフィールと関連付けられた第２のユーザを判定するステップと、
前記第１のユーザに対して前記メディアアセットへのアクセスを承認する権限を有する前記第２のユーザを判定したことに応答して、
前記第２のユーザと関連付けられた第２のユーザ機器デバイス上において、前記第１のユーザがブロックされている前記メディアアセットへのアクセスを要求したことの通知を前記第２のユーザに伝送するステップと、
前記第２のユーザと関連付けられた第２のユーザ機器デバイスおよび別のユーザ機器デバイスのうちの１つから、前記第２のユーザと関連付けられた第２の識別子を受信するステップと、
前記第２の識別子が前記第２のプロフィールと関連付けられた識別子に合致することを判定するステップと、
前記第２の識別子が前記第２のプロフィールと関連付けられた識別子に合致することを判定したことに応答して、
前記第１のユーザ機器デバイス上における前記第１のユーザによるアクセスのために前記メディアアセットをブロック解除するためのオプションを生成するステップと、
前記メディアアセットをブロック解除するためのオプションの選択を受信したことに応じて、前記第１のユーザ機器上における前記第１のユーザによるアクセスのために前記ブロックされているメディアアセットをブロック解除するステップと
を含む、方法。
【請求項２】
前記第１のユーザと関連付けられた第１のプロフィールは、
前記第１のユーザの年齢と、
前記第１のユーザが前記メディアアセットへのアクセスを承認する権限を有するかどうかを示すフラグと、
前記第１のユーザと関連付けられたソーシャルメディアアカウントと、
前記第１のユーザと関連付けられた電話番号と、
前記第１のユーザと関連付けられた電子メールアドレスと、
前記第１のユーザの視聴選好のリストと、
前記第１のユーザプロフィールに対する承認権を有するユーザプロフィールのリストと
のうちの少なくとも１つを記憶するデータ構造を含む、請求項１に記載の方法。
【請求項３】
前記第１の識別子とユーザプロフィールのインデックスデータ構造内に記憶されるアカウントと関連付けられた複数の識別子を比較するステップと、
前記第１の識別子が前記第１のユーザと関連付けられた第１のプロフィールと関連付けられた識別子に合致することを判定するステップと
をさらに含む、請求項１に記載の方法。
【請求項４】
前記第２のユーザと関連付けられた第２のプロフィールから、第２のユーザ機器デバイスが前記第２のユーザと関連付けられているかどうかを判定するステップと、
いずれのユーザ機器デバイスも前記第２のユーザと関連付けられていないことを判定したことに応答して、
前記第１のユーザと関連付けられた第１のプロフィールから、前記第１のユーザに対して前記メディアアセットへのアクセスを承認する権限を有する、第３のユーザを判定するステップと
をさらに含む、請求項１に記載の方法。
【請求項５】
前記第２のユーザ機器デバイス上において、前記第１のユーザが前記ブロックされているメディアアセットにアクセスすることを要求したことの通知を前記第２のユーザに伝送するステップは、
前記メディアアセットのジャンルと、
前記メディアアセットの評価と、
前記メディアアセットと関連付けられたウェブページへのリンクと、
前記メディアアセットと関連付けられたプレビューと、
前記第１のユーザからの個人化された通信と、
前記メディアアセットがロックされた理由のインジケーションと
のうちの少なくとも１つを含む、請求項１に記載の方法。
【請求項６】
前記第１のユーザは、
書かれたメッセージと、
写真と、
ビデオと、
オーディオメッセージと
のうちの少なくとも１つを含むように、前記通知を個人化することができる、請求項５に記載の方法。
【請求項７】
前記第２のユーザが前記通知に応答することができないことを判定するステップと、
前記第１のユーザと関連付けられた第１のプロフィールから、前記第１のユーザに対して前記メディアアセットへのアクセスを承認する権限を有する、第３のユーザを判定するステップと、
前記第３のユーザと関連付けられた第３のプロフィールから、第３のユーザ機器デバイスが前記第３のユーザと関連付けられているかどうかを判定するステップと、
第３のユーザ機器デバイスが前記第３のユーザと関連付けられていることを判定したことに応答して、
前記第３のユーザ機器デバイス上において、前記第１のユーザがブロックされている前記メディアアセットへのアクセスを要求したことの通知を前記第３のユーザに伝送するステップと、
前記第３のユーザ機器デバイスから、前記第３のユーザと関連付けられた第３の識別子を受信するステップと、
前記第３の識別子が前記第３のプロフィールと関連付けられた識別子に合致することを判定するステップと、
前記第３の識別子が前記第３のプロフィールと関連付けられた識別子に合致することを判定したことに応答して、表示のために、前記第１のユーザ機器デバイス上における前記第１のユーザによるアクセスのために前記メディアアセットをブロック解除するためのオプションを生成するステップと、
前記メディアアセットをブロック解除するためのオプションの選択を受信したことに応じて、前記第１のユーザ機器上における前記第１のユーザによるアクセスのために前記ブロックされているメディアアセットをブロック解除するステップと
をさらに含む、請求項１に記載の方法。
【請求項８】
前記第２のユーザが前記通知に応答することができないことを判定するステップはさらに、
前記第２のユーザが前記通知に応答するための閾値時間を超えたことを判定するステップと、
前記第２のユーザ機器デバイスが前記通知を受信することが不可能であることを判定するステップと
のうちの少なくとも１つを含む、請求項７に記載の方法。
【請求項９】
前記第１のユーザ機器デバイス上における前記第１のユーザによるアクセスのために前記ブロックされているメディアアセットをブロック解除するためのオプションはさらに、
前記第１のユーザと通信するためのオプションと、
所定の期間の間のアクセスに対して前記メディアアセットを承認するためのオプションと、
前記メディアアセットの異なるバージョンをブロック解除するためのオプションと
のうちの少なくとも１つを含む、請求項１に記載の方法。
【請求項１０】
前記第２のユーザから、許可基準が前記第１のユーザによって満たされる場合、前記メディアアセットをブロック解除するための条件付き許可基準を受信するステップと、
前記第１のユーザプロフィール内に、前記メディアアセットをブロック解除するための許可基準を記憶するステップと、
前記第１のユーザによって前記メディアアセットの選択を受信したことに応じて、前記メディアアセットをブロック解除する前に、前記メディアアセットが前記許可基準が満たされることを要求することを判定するステップと、
表示のために、前記通知を生成するステップであって、前記通知は、前記許可基準を識別する、ステップと、
前記第１のユーザから、前記許可基準が満たされたことの入力を受信するステップと、
前記許可基準が満たされたことの入力を受信したことに応答して、前記第１のユーザによるアクセスのために前記メディアアセットをブロック解除するステップと
をさらに含む、請求項１に記載の方法。
【請求項１１】
ユーザがブロックされているメディアアセットにアクセスすることを可能にするためのシステムであって、前記システムは、
記憶回路と、
表示回路と、
制御回路であって、前記制御回路は、
第１のユーザ機器デバイスから、第１のユーザと関連付けられた第１の識別子を受信することと、
前記第１のユーザが前記第１のユーザに対してブロックされているメディアアセットにアクセスすることを可能にするための要求を受信することと、
前記記憶回路内に記憶される前記第１のユーザと関連付けられた第１のプロフィール内において、前記第１のユーザに対して前記メディアアセットへのアクセスを承認する権限を有する、第２のプロフィールと関連付けられた第２のユーザを判定することと、
前記第１のユーザに対して前記メディアアセットへのアクセスを承認する権限を有する前記第２のユーザを判定したことに応答して、
通信ネットワークを介して、前記第２のユーザと関連付けられた第２のユーザ機器デバイス上において、前記第１のユーザがブロックされている前記メディアアセットへのアクセスを要求したことの通知を前記第２のユーザに伝送することと、
前記第２のユーザと関連付けられた第２のユーザ機器デバイスおよび別のユーザ機器デバイスのうちの１つから、前記第２のユーザと関連付けられた第２の識別子を受信することと、
前記第２の識別子が前記第２のプロフィールと関連付けられた識別子に合致することを判定することと、
前記第２の識別子が前記第２のプロフィールと関連付けられた識別子に合致することを判定したことに応答して、
表示のために、前記表示回路を使用して、前記第１のユーザ機器デバイス上における前記第１のユーザによるアクセスのために前記メディアアセットをブロック解除するためのオプションを生成することと、
前記メディアアセットをブロック解除するためのオプションの選択を受信したことに応じて、前記第１のユーザ機器上における前記第１のユーザによるアクセスのために前記ブロックされているメディアアセットをブロック解除することと
を行うように構成される、制御回路と
を備える、システム。
【請求項１２】
前記第１のユーザと関連付けられた第１のプロフィールを記憶する記憶回路は、加えて、
前記第１のユーザの年齢と、
前記第１のユーザが前記メディアアセットへのアクセスを承認する権限を有するかどうかを示すフラグと、
前記第１のユーザと関連付けられたソーシャルメディアアカウントと、
前記第１のユーザと関連付けられた電話番号と、
前記第１のユーザと関連付けられた電子メールアドレスと、
前記第１のユーザの視聴選好のリストと、
前記第１のユーザプロフィールに対する承認権を有するユーザプロフィールのリストと
のうちの少なくとも１つを記憶するデータ構造を含む、請求項１１に記載のシステム。
【請求項１３】
前記第１の識別子と前記記憶回路内に記憶されたユーザプロフィールのインデックスデータ構造内に記憶されるアカウントと関連付けられた複数の識別子を比較することと、
前記第１の識別子が前記第１のユーザと関連付けられた第１のプロフィールと関連付けられた識別子に合致することを判定することと
を行うように構成される、制御回路
をさらに備える、請求項１１に記載のシステム。
【請求項１４】
前記第２のユーザと関連付けられた第２のプロフィールから、第２のユーザ機器デバイスが前記第２のユーザと関連付けられているかどうかを判定することと、
いずれのユーザ機器デバイスも前記第２のユーザと関連付けられていないことを判定したことに応答して、
前記記憶回路内に記憶された前記第１のユーザと関連付けられた第１のプロフィールから、前記第１のユーザに対して前記メディアアセットへのアクセスを承認する権限を有する第３のユーザを判定することと
を行うように構成される、制御回路
をさらに備える、請求項１１に記載のシステム。
【請求項１５】
前記第２のユーザ機器デバイス上において表示回路によって表示のために生成された、前記第１のユーザが前記ブロックされているメディアアセットにアクセスすることを要求したことの前記第２のユーザへの通知は、
前記メディアアセットのジャンルと、
前記メディアアセットの評価と、
前記メディアアセットと関連付けられたウェブページへのリンクと、
前記メディアアセットと関連付けられたプレビューと、
前記第１のユーザからの個人化された通信と、
前記メディアアセットがロックされた理由のインジケーションと
のうちの少なくとも１つを含む、請求項１１に記載のシステム。
【請求項１６】
前記第１のユーザは、
書かれたメッセージと、
写真と、
ビデオと、
オーディオメッセージと
のうちの少なくとも１つを含むように、前記通知を個人化することができる、請求項１５に記載のシステム。
【請求項１７】
前記第２のユーザが前記通知に応答することができないことを判定することと、
前記記憶回路内に記憶された前記第１のユーザと関連付けられた第１のプロフィールから、前記第１のユーザに対して前記メディアアセットへのアクセスを承認する権限を有する、第３のユーザを判定することと、
前記記憶回路内に記憶された前記第３のユーザと関連付けられた第３のプロフィールから、第３のユーザ機器デバイスが前記第３のユーザと関連付けられているかどうかを判定することと、
第３のユーザ機器デバイスが前記第３のユーザと関連付けられていることを判定したことに応答して、
通信ネットワークを介して、前記第３のユーザ機器デバイス上において、前記第１のユーザがブロックされている前記メディアアセットへのアクセスを要求したことの通知を前記第３のユーザに伝送することと、
前記第３のユーザ機器デバイスから、前記第３のユーザと関連付けられた第３の識別子を受信することと、
前記第３の識別子が前記第３のプロフィールと関連付けられた識別子に合致することを判定することと、
前記第３の識別子が前記第３のプロフィールと関連付けられた識別子に合致することを判定したことに応答して、表示のために、前記表示回路を使用して、前記第１のユーザ機器デバイス上における前記第１のユーザによるアクセスのために前記メディアアセットをブロック解除するためのオプションを生成することと、
前記メディアアセットをブロック解除するためのオプションの選択を受信したことに応じて、前記第１のユーザ機器上における前記第１のユーザによるアクセスのために前記ブロックされているメディアアセットをブロック解除することと
を行うように構成される、制御回路
をさらに備える、請求項１１に記載のシステム。
【請求項１８】
前記第２のユーザが前記通知に応答することができないことを判定するステップはさらに、
前記第２のユーザが前記通知に応答するための閾値時間を超えたことを判定することと、
前記第２のユーザ機器デバイスが前記通知を受信することが不可能であることを判定することと
を行うように構成される制御回路のうちの少なくとも１つを含む、請求項１７に記載のシステム。
【請求項１９】
前記第１のユーザ機器デバイス上における前記第１のユーザによるアクセスのために前記ブロックされているメディアをブロック解除するためのオプションはさらに、表示のために、
前記第１のユーザと通信するためのオプションと、
所定の期間の間のアクセスに対して前記メディアアセットを承認するためのオプションと、
前記メディアアセットの異なるバージョンをブロック解除するためのオプションと
のうちの少なくとも１つを生成するように構成される表示回路
を含む、請求項１１に記載のシステム。
【請求項２０】
前記第２のユーザから、許可基準が前記第１のユーザによって満たされる場合、前記メディアアセットをブロック解除するための条件付き許可基準を受信することと、
前記記憶回路内に記憶された前記第１のユーザプロフィール内に、前記メディアアセットをブロック解除するための許可基準を記憶することと、
前記第１のユーザによって前記メディアアセットの選択を受信したことに応じて、前記メディアアセットをブロック解除する前に、前記メディアアセットが前記許可基準が満たされることを要求することを判定することと、
表示のために、前記表示回路を使用して、前記通知を生成することであって、前記通知は、前記許可基準を識別する、ことと、
前記第１のユーザから、前記許可基準が満たされたことの入力を受信することと、
前記許可基準が満たされたことの入力を受信したことに応答して、前記第１のユーザによるアクセスのために前記メディアアセットをブロック解除することと
を行うように構成される制御回路
をさらに備える、請求項１１に記載のシステム。
【請求項２１】
ユーザがブロックされているメディアアセットにアクセスすることを可能にするためのシステムであって、前記システムは、
第１のユーザ機器デバイスから、第１のユーザと関連付けられた第１の識別子を受信するための手段と、
前記第１のユーザが前記第１のユーザに対してブロックされているメディアアセットにアクセスすることを可能にするための要求を受信するための手段と、
前記第１のユーザと関連付けられた第１のプロフィール内において、前記第１のユーザに対して前記メディアアセットへのアクセスを承認する権限を有する第２のプロフィールと関連付けられた第２のユーザを判定するための手段と、
前記第１のユーザに対して前記メディアアセットへのアクセスを承認する権限を有する前記第２のユーザを判定したことに応答して、
前記第２のユーザと関連付けられた第２のユーザ機器デバイス上において、前記第１のユーザがブロックされている前記メディアアセットへのアクセスを要求したことの通知を前記第２のユーザに伝送するための手段と、
前記第２のユーザと関連付けられた第２のユーザ機器デバイスおよび別のユーザ機器デバイスのうちの１つから、前記第２のユーザと関連付けられた第２の識別子を受信するための手段と、
前記第２の識別子が前記第２のプロフィールと関連付けられた識別子に合致することを判定するための手段と、
前記第２の識別子が前記第２のプロフィールと関連付けられた識別子に合致することを判定したことに応答して、
表示のために、前記第１のユーザ機器デバイス上における前記第１のユーザによるアクセスのために前記メディアアセットをブロック解除するためのオプションを生成するための手段と、
前記メディアアセットをブロック解除するためのオプションの選択を受信したことに応じて、前記第１のユーザ機器上における前記第１のユーザによるアクセスのために前記ブロックされているメディアアセットをブロック解除するための手段と
を備える、システム。
【請求項２２】
前記第１のユーザと関連付けられた第１のプロフィールは、
前記第１のユーザの年齢と、
前記第１のユーザが前記メディアアセットへのアクセスを承認する権限を有するかどうかを示すフラグと、
前記第１のユーザと関連付けられたソーシャルメディアアカウントと、
前記第１のユーザと関連付けられた電話番号と、
前記第１のユーザと関連付けられた電子メールアドレスと、
前記第１のユーザの視聴選好のリストと、
前記第１のユーザプロフィールに対する承認権を有するユーザプロフィールのリストと
のうちの少なくとも１つを記憶するための手段を用いて、データ構造を含む、請求項２１に記載のシステム。
【請求項２３】
前記第１の識別子とユーザプロフィールのインデックスデータ構造内に記憶されるアカウントと関連付けられた複数の識別子を比較するための手段と、
前記第１の識別子が前記第１のユーザと関連付けられた第１のプロフィールと関連付けられた識別子に合致することを判定するための手段と
をさらに備える、請求項２１に記載のシステム。
【請求項２４】
前記第２のユーザと関連付けられた第２のプロフィールから、第２のユーザ機器デバイスが前記第２のユーザと関連付けられているかどうかを判定するための手段と、
いずれのユーザ機器デバイスも前記第２のユーザと関連付けられていないことを判定したことに応答して、
前記第１のユーザと関連付けられた第１のプロフィールから、前記第１のユーザに対して前記メディアアセットへのアクセスを承認する権限を有する第３のユーザを判定するための手段と
をさらに備える、請求項２１に記載のシステム。
【請求項２５】
前記第２のユーザ機器デバイス上において、前記第１のユーザが前記ブロックされているメディアアセットにアクセスすることを要求したことの通知を前記第２のユーザに伝送するための手段は、
前記メディアアセットのジャンルと、
前記メディアアセットの評価と、
前記メディアアセットと関連付けられたウェブページへのリンクと、
前記メディアアセットと関連付けられたプレビューと、
前記第１のユーザからの個人化された通信と、
前記メディアアセットがロックされた理由のインジケーションと
のうちの少なくとも１つを生成するための手段を含む、請求項２１に記載の方法。
【請求項２６】
前記第１のユーザは、
書かれたメッセージと、
写真と、
ビデオと、
オーディオメッセージと
のうちの少なくとも１つを含むように前記通知を個人化することができる、請求項２５に記載のシステム。
【請求項２７】
前記第２のユーザが前記通知に応答することができないことを判定するための手段と、
前記第１のユーザと関連付けられた第１のプロフィールから、前記第１のユーザに対して前記メディアアセットへのアクセスを承認する権限を有する第３のユーザを判定するための手段と、
前記第３のユーザと関連付けられた第３のプロフィールから、第３のユーザ機器デバイスが前記第３のユーザと関連付けられているかどうかを判定するための手段と、
第３のユーザ機器デバイスが前記第３のユーザと関連付けられていることを判定したことに応答して、
前記第３のユーザ機器デバイス上において、前記第１のユーザがブロックされている前記メディアアセットへのアクセスを要求したことの通知を前記第３のユーザに伝送するための手段と、
前記第３のユーザ機器デバイスから、前記第３のユーザと関連付けられた第３の識別子を受信するための手段と、
前記第３の識別子が前記第３のプロフィールと関連付けられた識別子に合致することを判定するための手段と、
前記第３の識別子が前記第３のプロフィールと関連付けられた識別子に合致することを判定したことに応答して、表示のために、前記第１のユーザ機器デバイス上における前記第１のユーザによるアクセスのために前記メディアアセットをブロック解除するためのオプションを生成するための手段と、
前記メディアアセットをブロック解除するためのオプションの選択を受信したことに応じて、前記第１のユーザ機器上における前記第１のユーザによるアクセスのために前記ブロックされているメディアアセットをブロック解除するための手段と
をさらに備える、請求項２１に記載のシステム。
【請求項２８】
前記第２のユーザが前記通知に応答することができないことを判定するための手段はさらに、
前記第２のユーザが前記通知に応答するための閾値時間を超えたことを判定するための手段と、
前記第２のユーザ機器デバイスが前記通知を受信することが不可能であることを判定するための手段と
のうちの少なくとも１つを含む、請求項２７に記載のシステム。
【請求項２９】
前記第１のユーザ機器デバイス上における前記第１のユーザによるアクセスのために前記ブロックされているメディアアセットをブロック解除するためのオプションはさらに、
前記第１のユーザと通信するためのオプションと、
所定の期間の間のアクセスに対して前記メディアアセットを承認するためのオプションと、
前記メディアアセットの異なるバージョンをブロック解除するためのオプションと
のうちの少なくとも１つを生成するための手段を含む、請求項２１に記載のシステム。
【請求項３０】
前記第２のユーザから、許可基準が前記第１のユーザによって満たされる場合、前記メディアアセットをブロック解除するための条件付き許可基準を受信するための手段と、
前記第１のユーザプロフィール内に、前記メディアアセットをブロック解除するための許可基準を記憶するための手段と、
前記第１のユーザによって前記メディアアセットの選択を受信したことに応じて、前記メディアアセットをブロック解除する前に、前記メディアアセットが前記許可基準が満たされることを要求することを判定するための手段と、
表示のために、前記通知を生成するための手段であって、前記通知は、前記許可基準を識別する、手段と、
前記第１のユーザから、前記許可基準が満たされたことの入力を受信するための手段と、
前記許可基準が満たされたことの入力を受信したことに応答して、前記第１のユーザによるアクセスのために前記メディアアセットをブロック解除するための手段と
をさらに備える、請求項２１に記載のシステム。
【請求項３１】
ユーザがブロックされているメディアアセットにアクセスすることを可能にするためのその上にエンコードされた命令を伴うメモリを備える非一過性機械可読媒体であって、前記命令は、
第１のユーザ機器デバイスから、第１のユーザと関連付けられた第１の識別子を受信するための命令と、
前記第１のユーザが前記第１のユーザに対してブロックされているメディアアセットにアクセスすることを可能にするための要求を受信するための命令と、
前記第１のユーザと関連付けられた第１のプロフィール内において、前記第１のユーザに対して前記メディアアセットへのアクセスを承認する権限を有する、第２のプロフィールと関連付けられた第２のユーザを判定するための命令と、
前記第１のユーザに対して前記メディアアセットへのアクセスを承認する権限を有する前記第２のユーザを判定したことに応答して、
前記第２のユーザと関連付けられた第２のユーザ機器デバイス上において、前記第１のユーザがブロックされている前記メディアアセットへのアクセスを要求したことの通知を前記第２のユーザに伝送するための命令と、
前記第２のユーザと関連付けられた第２のユーザ機器デバイスおよび別のユーザ機器デバイスのうちの１つから、前記第２のユーザと関連付けられた第２の識別子を受信するための命令と、
前記第２の識別子が前記第２のプロフィールと関連付けられた識別子に合致することを判定するための命令と、
前記第２の識別子が前記第２のプロフィールと関連付けられた識別子に合致することを判定したことに応答して、
表示のために、前記第１のユーザ機器デバイス上における前記第１のユーザによるアクセスのために前記メディアアセットをブロック解除するためのオプションを生成するための命令と、
前記メディアアセットをブロック解除するためのオプションの選択を受信したことに応じて、前記第１のユーザ機器上における前記第１のユーザによるアクセスのために前記ブロックされているメディアアセットをブロック解除するための命令と
を備える、非一過性機械可読媒体。
【請求項３２】
前記第１のユーザと関連付けられた第１のプロフィールはさらに、データ構造内に、
前記第１のユーザの年齢と、
前記第１のユーザが前記メディアアセットへのアクセスを承認する権限を有するかどうかを示すフラグと、
前記第１のユーザと関連付けられたソーシャルメディアアカウントと、
前記第１のユーザと関連付けられた電話番号と、
前記第１のユーザと関連付けられた電子メールアドレスと、
前記第１のユーザの視聴選好のリストと、
前記第１のユーザプロフィールに対する承認権を有するユーザプロフィールのリストと
のうちの少なくとも１つを記憶するための命令を含む、請求項３１に記載の非一過性機械可読媒体。
【請求項３３】
前記命令はさらに、
前記第１の識別子とユーザプロフィールのインデックスデータ構造内に記憶されるアカウントと関連付けられた複数の識別子を比較するための命令と、
前記第１の識別子が前記第１のユーザと関連付けられた第１のプロフィールと関連付けられた識別子に合致することを判定するための命令と
を備える、請求項３１に記載の非一過性機械可読媒体。
【請求項３４】
前記命令はさらに、
前記第２のユーザと関連付けられた第２のプロフィールから、第２のユーザ機器デバイスが前記第２のユーザと関連付けられているかどうかを判定するための命令と、
いずれのユーザ機器デバイスも前記第２のユーザと関連付けられていないことを判定したことに応答して、
前記第１のユーザと関連付けられた第１のプロフィールから、前記第１のユーザに対して前記メディアアセットへのアクセスを承認する権限を有する第３のユーザを判定するための命令と
を備える、請求項３１に記載の非一過性機械可読媒体。
【請求項３５】
前記第２のユーザ機器デバイス上において、前記第１のユーザが前記ブロックされているメディアアセットにアクセスすることを要求したことの前記第２のユーザへの通知はさらに、
表示のために、前記メディアアセットのジャンルを生成することと、
表示のために、前記メディアアセットの評価を生成することと、
表示のために、前記メディアアセットと関連付けられたウェブページへのリンクを生成することと、
表示のために、前記メディアアセットと関連付けられたプレビューを生成することと、
表示のために、前記第１のユーザからの個人化された通信を生成することと、
表示のために、前記メディアアセットがロックされた理由のインジケーションを生成することと
を行わせる命令を備える、請求項３１に記載の非一過性機械可読媒体。
【請求項３６】
前記第１のユーザは、通知を個人化することができ、
書かれたメッセージを伝送することと、
写真を伝送することと、
ビデオを伝送することと、
オーディオメッセージを伝送することと
を行わせる命令をさらに備える、請求項３５に記載の非一過性機械可読媒体。
【請求項３７】
前記命令はさらに、
前記第２のユーザが前記通知に応答することができないことを判定するための命令と、
前記第１のユーザと関連付けられた第１のプロフィールから、前記第１のユーザに対して前記メディアアセットへのアクセスを承認する権限を有する第３のユーザを判定するための命令と、
前記第３のユーザと関連付けられた第３のプロフィールから、第３のユーザ機器デバイスが前記第３のユーザと関連付けられているかどうかを判定するための命令と、
第３のユーザ機器デバイスが前記第３のユーザと関連付けられていることを判定したことに応答して、
前記第３のユーザ機器デバイス上において、前記第１のユーザがブロックされている前記メディアアセットへのアクセスを要求したことの通知を前記第３のユーザに伝送するための命令と、
前記第３のユーザ機器デバイスから、前記第３のユーザと関連付けられた第３の識別子を受信するための命令と、
前記第３の識別子が前記第３のプロフィールと関連付けられた識別子に合致することを判定するための命令と、
前記第３の識別子が前記第３のプロフィールと関連付けられた識別子に合致することを判定したことに応答して、表示のために、前記第１のユーザ機器デバイス上における前記第１のユーザによるアクセスのために前記メディアアセットをブロック解除するためのオプションを生成するための命令と、
前記メディアアセットをブロック解除するためのオプションの選択を受信したことに応じて、前記第１のユーザ機器上における前記第１のユーザによるアクセスのために前記ブロックされているメディアアセットをブロック解除するための命令と
を備える、請求項３１に記載の非一過性機械可読媒体。
【請求項３８】
前記命令はさらに、
前記第２のユーザが前記通知に応答するための閾値時間を超えたことを判定するための命令と、
前記第２のユーザ機器デバイスが前記通知を受信することが不可能であることを判定するための命令と
を備える、請求項３７に記載の非一過性機械可読媒体。
【請求項３９】
前記第１のユーザ機器デバイス上における前記第１のユーザによるアクセスのために前記ブロックされているメディアアセットをブロック解除するためのオプションは、
表示のために、前記第１のユーザと通信するためのオプションを生成することと、
表示のために、所定の期間の間のアクセスに対して前記メディアアセットを承認するためのオプションを生成することと、
表示のために、前記メディアアセットの異なるバージョンをブロック解除するためのオプションを生成することと
を行わせる命令を備える、請求項３１に記載の非一過性機械可読媒体。
【請求項４０】
前記命令はさらに、
前記第２のユーザから、許可基準が前記第１のユーザによって満たされる場合、前記メディアアセットをブロック解除するための条件付き許可基準を受信するための命令と、
前記第１のユーザプロフィール内に、前記メディアアセットをブロック解除するための許可基準を記憶するための命令と、
前記第１のユーザによって前記メディアアセットの選択を受信したことに応じて、前記メディアアセットをブロック解除する前に、前記メディアアセットが前記許可基準が満たされることを要求することを判定する、命令と、
表示のために、前記通知を生成するステップであって、前記通知は、前記許可基準を識別するための命令と、
前記第１のユーザから、前記許可基準が満たされたことの入力を受信するための命令と、
前記許可基準が満たされたことの入力を受信したことに応答して、前記第１のユーザによるアクセスのために前記メディアアセットをブロック解除するための命令と
を備える、請求項３１に記載の非一過性機械可読媒体。
【請求項４１】
ユーザがブロックされているメディアアセットにアクセスすることを可能にするための方法であって、前記方法は、
第１のユーザ機器デバイスから、第１のユーザと関連付けられた第１の識別子を受信するステップと、
前記第１のユーザが前記第１のユーザに対してブロックされているメディアアセットにアクセスすることを可能にするための要求を受信するステップと、
前記第１のユーザに対して前記メディアアセットへのアクセスを承認する権限を有する、第２のユーザを判定したことに応答して、
前記第２のユーザと関連付けられた第２のユーザ機器デバイス上において、前記第１のユーザがブロックされている前記メディアアセットへのアクセスを要求したことの通知を前記第２のユーザに伝送するステップと、
前記第２のユーザと関連付けられた第２のユーザ機器デバイスおよび別のユーザ機器デバイスのうちの１つから、前記第２のユーザと関連付けられた第２の識別子を受信するステップと、
前記受信された第２の識別子に基づいて、前記第２のユーザが前記メディアアセットへのアクセスを承認する権限を有することを判定するステップと、
前記メディアアセットをブロック解除するための選択を受信したことに応じて、前記第１のユーザ機器上における前記第１のユーザによるアクセスのために前記ブロックされているメディアアセットをブロック解除するステップと
を含む、方法。
【請求項４２】
前記第１のユーザの年齢と、
前記第１のユーザが前記メディアアセットへのアクセスを承認する権限を有するかどうかを示すフラグと、
前記第１のユーザと関連付けられたソーシャルメディアアカウントと、
前記第１のユーザと関連付けられた電話番号と、
前記第１のユーザと関連付けられた電子メールアドレスと、
前記第１のユーザの視聴選好のリストと、
前記第１のユーザプロフィールに対する承認権を有するユーザプロフィールのリストと
のうちの少なくとも１つを含む、前記第１のユーザと関連付けられた第１のプロフィールをさらに含む、請求項４１に記載の方法。
【請求項４３】
前記第１の識別子とユーザプロフィールのインデックスデータ構造内に記憶されるアカウントと関連付けられた複数の識別子を比較するステップと、
前記第１の識別子が前記第１のユーザと関連付けられた第１のプロフィールと関連付けられた識別子に合致することを判定するステップと
をさらに含む、請求項４１−４２のいずれかに記載の方法。
【請求項４４】
前記第２のユーザと関連付けられた第２のプロフィールから、第２のユーザ機器デバイスが前記第２のユーザと関連付けられているかどうかを判定するステップと、
いずれの第２のユーザ機器デバイスも前記第２のユーザと関連付けられていないことを判定したことに応答して、
前記第１のユーザと関連付けられた第１のプロフィールから、前記第１のユーザに対して前記メディアアセットへのアクセスを承認する権限を有する第３のユーザを判定するステップと
をさらに含む、請求項４１−４３のいずれかに記載の方法。
【請求項４５】
前記第２のユーザ機器デバイス上において、前記第１のユーザが前記ブロックされているメディアアセットにアクセスすることを要求したことの通知を前記第２のユーザに伝送するステップは、
前記メディアアセットのジャンルと、
前記メディアアセットの評価と、
前記メディアアセットと関連付けられたウェブページへのリンクと、
前記メディアアセットと関連付けられたプレビューと、
前記第１のユーザからの個人化された通信と、
前記メディアアセットがブロックされた理由のインジケーションと
のうちの少なくとも１つを含む、請求項４１−４４のいずれかに記載の方法。
【請求項４６】
前記第１のユーザは、
書かれたメッセージと、
写真と、
ビデオと、
オーディオメッセージと
のうちの少なくとも１つを含むように、前記通知を個人化することができる、請求項４５に記載の方法。
【請求項４７】
前記第２のユーザが前記通知に応答することができないことを判定するステップと、
前記第１のユーザと関連付けられた第１のプロフィールから、前記第１のユーザに対して前記メディアアセットへのアクセスを承認する権限を有する第３のユーザを判定するステップと、
前記第３のユーザと関連付けられた第３のプロフィールから、第３のユーザ機器デバイスが前記第３のユーザと関連付けられているかどうかを判定するステップと、
第３のユーザ機器デバイスが前記第３のユーザと関連付けられていることを判定したことに応答して、
前記第３のユーザ機器デバイス上において、前記第１のユーザがブロックされている前記メディアアセットへのアクセスを要求したことの通知を前記第３のユーザに伝送するステップと、
前記第３のユーザ機器デバイスから、前記第３のユーザと関連付けられた第３の識別子を受信するステップと、
前記第３の識別子が前記第３のプロフィールと関連付けられた識別子に合致することを判定するステップと、
前記第３の識別子が前記第３のプロフィールと関連付けられた識別子に合致することを判定したことに応答して、表示のために、前記第１のユーザ機器デバイス上における前記第１のユーザによるアクセスのために前記メディアアセットをブロック解除するためのオプションを生成するステップと、
前記メディアアセットをブロック解除するためのオプションの選択を受信したことに応じて、前記第１のユーザ機器上における前記第１のユーザによるアクセスのために前記ブロックされているメディアアセットをブロック解除するステップと
をさらに含む、請求項４１−４６のいずれかに記載の方法。
【請求項４８】
前記第２のユーザが前記通知に応答することができないことを判定するステップはさらに、
前記第２のユーザが前記通知に応答するための閾値時間を超えたことを判定するステップと、
前記第２のユーザ機器デバイスが前記通知を受信することが不可能であることを判定するステップと
のうちの少なくとも１つを含む、請求項４７に記載の方法。
【請求項４９】
前記第１のユーザ機器デバイス上における前記第１のユーザによるアクセスのために前記ブロックされているメディアをブロック解除するためのオプションはさらに、
前記第１のユーザと通信するためのオプションと、
所定の期間の間のアクセスに対して前記メディアアセットを承認するためのオプションと、
前記メディアアセットの異なるバージョンをブロック解除するためのオプションと
のうちの少なくとも１つを含む、請求項４１−４８のいずれかに記載の方法。
【請求項５０】
前記第２のユーザから、許可基準が前記第１のユーザによって満たされる場合、前記メディアアセットをブロック解除するための条件付き許可基準を受信するステップと、
前記第１のユーザプロフィール内に、前記メディアアセットをブロック解除するための許可基準を記憶するステップと、
前記第１のユーザによって前記メディアアセットの選択を受信したことに応じて、前記メディアアセットをブロック解除する前に、前記メディアアセットが前記許可基準が満たされることを要求することを判定するステップと、
表示のために、前記通知を生成するステップであって、前記通知は、前記許可基準を識別する、ステップと、
前記第１のユーザから、前記許可基準が満たされたことの入力を受信するステップと、
前記許可基準が満たされたことの入力を受信したことに応答して、前記第１のユーザによるアクセスのために前記メディアアセットをブロック解除するステップと
をさらに含む、請求項４１−４９のいずれかに記載の方法。
【発明の詳細な説明】
【技術分野】
【０００１】
（関連出願の相互参照）
本願は、２０１６年２月９日に出願された米国特許出願第１５／０１９，２５３号に対する優先権およびその利益を主張するものであり、該米国特許出願は、その全体が参照により本明細書中に援用される。
【背景技術】
【０００２】
現代のテレビ視聴者に利用可能な多数のコンテンツを前提として、ユーザが視聴するためのコンテンツをフィルタリングすることを可能にする、ペアレンタルコントロールシステムは、電子番組ガイド（ＥＰＧ）にほぼ遍在的となりつつある。例えば、ペアレンタルコントロールシステムは、両親に、彼らが不在のときにその子供が鑑賞することができる内容を決定する能力を与える。典型的には、ペアレンタルコントロールシステムは、コンテンツをブロックおよびブロック解除するために入力されることができる、アクセスコードを有するであろう。ブロックされている番組にアクセスしようとし、アクセスコードを知らない子供は、番組を視聴不可能となるであろう。しかしながら、コンテンツ評価の厳格性は、両親がその子供が鑑賞するために容認可能であることを見出し得る、いくつかの番組をブロックする結果をもたらし得る。例えば、両親は、いくつかの番組の評価に合意しない場合がある。この場合では、両親が、アクセスコードを入力するために自宅に居なかった場合、子供は、番組を鑑賞することが不可能となり得る。
【発明の概要】
【課題を解決するための手段】
【０００３】
ユーザがブロックされているメディアアセットにアクセスすることを可能にするためのシステムおよび方法が、本明細書に提供される。これらのシステムおよび方法は、ユーザが、ブロックされているメディアアセットへのアクセスを承認することができる、両親または別のユーザが、視聴するためにブロックされているメディアアセットへのアクセスを承認することを要求することを可能にする。要求は、要求者ユーザから遠隔に存在し得る場合でも、両親または他のユーザが要求を承認するように、通知として、携帯電話または別の好適なデバイスに伝送されてもよい。要求者ユーザとその承認がメディアアセットをブロック解除するために要求されるユーザ（すなわち、承認者）は両方とも、各ユーザと関連付けられた識別子に基づいて、システムによって識別されてもよい。これは、承認者に、要求をサブミットしたユーザを知らせる。加えて、これはまた、承認者が、要求者ユーザのための番組をブロック解除することを可能にする前に、その識別を認証するための識別子をシステムに打ち込まなければならないため、セキュリティの層を追加することになる。
【０００４】
いくつかの側面では、メディアガイドアプリケーションは、第１のユーザ機器デバイスから、第１のユーザと関連付けられた第１の識別子を受信する。例えば、メディアガイドアプリケーションは、識別子の第１のユーザ入力を受信する。いくつかの実施形態では、識別子は、数字および文字等の任意の有限文字列を含む。例えば、識別子は、「１２３４」、「Ｊｏｅｌ２３」、または任意の他の好適な識別子であり得る。いくつかの実施形態では、識別子は、網膜走査または指紋等のバイオメトリックデータであってもよい。いくつかの実施形態では、メディアガイドアプリケーションは、第１のユーザデバイスが、第１のユーザからの任意の入力を伴わずに、第１のユーザを自動的に判定するように、第１の識別子を第１のユーザデバイスと関連付けられたメモリ内に記憶する。
【０００５】
いくつかの実施形態では、メディアガイドアプリケーションは、受信された第１の識別子とユーザプロフィールのインデックスデータ構造内に記憶される複数の識別子を比較する。メディアガイドアプリケーションは、受信された識別子とインデックスデータ構造内に記憶される複数の識別子を比較してもよい。メディアガイドアプリケーションは、ユーザプロフィールへのポインタとインデックスデータ構造内の各識別子を関連付けてもよい。例えば、メディアガイドアプリケーションは、入力識別子「Ｊｏｅ１２３」とインデックスデータ構造内に記憶される識別子を比較してもよい。受信された第１の識別子とインデックスデータ構造内に記憶される複数の識別子の比較に応じて、メディアガイドアプリケーションは、第１の識別子がユーザプロフィールのインデックスデータ構造内に記憶される識別子に合致するかどうかを判定する。例えば、メディアガイドアプリケーションが、受信された識別子の全ての文字が記憶された識別子内の全ての文字に合致することを判定する場合、メディアガイドアプリケーションは、２つの識別子が「真」に合致するというブール値の結果を返してもよい。
【０００６】
メディアガイドアプリケーションは、第１のユーザが第１のユーザに対してブロックされているメディアアセットにアクセスすることを可能にするための要求を受信する。例えば、メディアガイドアプリケーションは、第１のユーザから、事前に設定されたブロック基準を満たし、第１のユーザによって視聴するためにブロックされている、メディアアセットを視聴するための要求を受信する。例えば、メディアガイドアプリケーションは、第１のユーザから、メディアアセットを視聴する許諾を得るための要求を受信する。いくつかの実施形態では、メディアガイドアプリケーションは、「ＴＶ−ＭＡ」の評価を伴う番組が第１のユーザに対してブロックされ得るというインジケーションを記憶する。メディアガイドアプリケーションは、次いで、「ＴＶ−ＭＡ」またはより高い評価を伴う番組を第１のユーザによって視聴されないようにブロックする。いくつかの実施形態では、メディアガイドアプリケーションは、第１のユーザがブロックされているメディアを選択するとき、要求を含有する通知を自動的に生成してもよい。
【０００７】
メディアガイドアプリケーションは、第１のユーザと関連付けられた第１のプロフィール内において、第１のユーザに対してメディアアセットへのアクセスを承認する権限を有する、第２のユーザを判定する。例えば、ブロックされているメディアアセットの第１のユーザ選択の受信に応じて、メディアガイドアプリケーションは、第１のユーザと関連付けられた第１のプロフィールにクエリし、第１のユーザに対してブロックされているメディアへのアクセスを承認するための権限を伴う任意のユーザが存在するかどうかを判定する。例えば、メディアガイドアプリケーションは、子供の母親に対応するユーザアカウントが子供に対してブロックされているメディアを承認する権限を伴うアカウントとして指定されていることを判定してもよい。メディアガイドアプリケーションが、第１のユーザに対してブロックされているメディアにアクセスすることを可能にするための権限を伴う第２のユーザを判定しない場合、メディアガイドアプリケーションは、要求が失敗し、メディアアセットがブロックされたままであることの通知を第１のユーザに表示してもよい。
【０００８】
いくつかの実施形態では、第１のユーザと関連付けられた第１のプロフィールは、第１のユーザの年齢を記憶する、データ構造を含む。例えば、メディアガイドアプリケーションは、ユーザ「Ｊｏｈｎ」が１４歳であることを記憶してもよい。代替として、または加えて、第１のユーザと関連付けられた第１のプロフィールは、第１のユーザがメディアアセットへのアクセスを承認する権限を有するかどうかを示すフラグを記憶する、データ構造を含む。例えば、メディアガイドアプリケーションは、ユーザ「Ｊｏｈｎ」がアクセスを試みているメディアアセットへのアクセスを承認する権限を有していないことのフラグを記憶してもよい。代替として、または加えて、第１のユーザと関連付けられた第１のプロフィールは、第１のユーザと関連付けられたソーシャルメディアアカウントを記憶する、データ構造を含む。例えば、メディアガイドアプリケーションは、ユーザ「Ｊｏｈｎ」がハンドル名「ＪｏｈｎＣ１３５７９」を伴うソーシャルメディアアカウントを有することを記憶してもよい。代替として、または加えて、第１のユーザと関連付けられた第１のプロフィールは、第１のユーザと関連付けられた電話番号を記憶する、データ構造を含む。例えば、メディアガイドアプリケーションは、ユーザ「Ｊｏｈｎ」が電話番号「１２３−４５６−１０００」を伴う携帯電話を有することを記憶してもよい。代替として、または加えて、第１のユーザと関連付けられた第１のプロフィールは、第１のユーザと関連付けられた電子メールアドレスを記憶する、データ構造を含む。例えば、メディアガイドアプリケーションは、ユーザ「Ｊｏｈｎ」が電子メールアカウント「ＪｏｈｎＣ＠ｍａｉｌ．ｕｓａ」を有することを記憶してもよい。代替として、または加えて、第１のユーザと関連付けられた第１のプロフィールは、第１のユーザの視聴選好のリストを記憶する、データ構造を含む。例えば、メディアガイドアプリケーションは、ユーザ「Ｊｏｈｎ」が「ホラー」ジャンルの映画の鑑賞を好むことを記憶してもよい。代替として、または加えて、第１のユーザと関連付けられた第１のプロフィールは、該第１のユーザプロフィールに対する承認権を有するユーザプロフィールのリストを記憶する、データ構造を含む。例えば、メディアガイドアプリケーションは、そのプロフィールの識別子によって識別され得る、ユーザ「母親」および「父親」が、ユーザ「Ｊｏｈｎ」に対するブロックされているメディアアセットへのアクセスを承認するための権限を有することを記憶してもよい。
【０００９】
いくつかの実施形態では、メディアガイドアプリケーションは、第２のユーザと関連付けられた第２のプロフィールから、第２のユーザ機器デバイスが第２のユーザと関連付けられるかどうかを判定する。アクセスを承認するための権限を伴う第２のユーザが存在することの判定に応じて、メディアガイドアプリケーションは、第２のユーザと関連付けられた第２のプロフィールにアクセスする。メディアガイドアプリケーションは、次いで、第２のユーザと関連付けられたユーザ機器デバイスに関して第２のプロフィールにクエリし、第２のユーザは、第１のユーザからの要求を含有する通知を受信してもよい。例えば、メディアガイドアプリケーションは、ユーザ「母親」が第１のユーザに対してメディアアセットへのアクセスを承認する権限を有することを判定してもよい。メディアガイドアプリケーションは、次いで、「母親」と関連付けられたプロフィールにアクセスし、携帯電話等の「母親」と関連付けられたユーザ機器に関してプロフィール内に記憶されるデータ構造にクエリしてもよい。
【００１０】
いくつかの実施形態では、メディアガイドアプリケーションが、第２のユーザと関連付けられたユーザ機器デバイスが存在しないことを判定する場合、第２のユーザは、通知を受信することができ、メディアガイドアプリケーションが、第１のユーザに対してブロックされているメディアへのアクセスを承認するための権限を伴う第３のユーザに関して、第１のユーザと関連付けられた第１のプロフィールにクエリしてもよい。例えば、メディアガイドアプリケーションが、ユーザ機器に関して「母親」と関連付けられたプロフィール内のデータ構造にクエリした後、いずれのユーザ機器も見出されない場合、メディアガイドアプリケーションは、上記に説明されるものと同一または類似のプロセスを使用して、第１のユーザに対してメディアアセットへのアクセスを承認することができる、任意の他のユーザが存在するかどうかを判定することを試みてもよい。
【００１１】
代替として、または加えて、メディアガイドアプリケーションが、第２のユーザが閾値時間量にわたって応答しなかったことを判定する場合、メディアガイドアプリケーションは、第１のユーザに対してブロックされているメディアへのアクセスを承認するための権限を伴う第３のユーザに関して、第１のユーザと関連付けられた第１のプロフィールにクエリしてもよい。例えば、メディアガイドアプリケーションは、通知を「母親」に対応するプロフィール内に記憶されるユーザデバイスに伝送するが、ある期間（例えば、５分）にわたって応答を受信しない場合、メディアガイドアプリケーションは、上記に説明されるように、メディアアセットへのアクセスを可能にすることができる別のユーザを判定し、通知をそのプロフィール内に記憶されるユーザ機器デバイス（例えば、プロフィール「Ｄａｄｌ２３」内に変数として記憶されるユーザ機器デバイス）に伝送してもよい。
【００１２】
メディアガイドアプリケーションは、第２のユーザ機器デバイスが第２のユーザと関連付けられることの判定に応答して、第２のユーザと関連付けられた第２のユーザ機器デバイス上において、第１のユーザがブロックされているメディアアセットへのアクセスを要求していることの通知を第２のユーザに伝送する。メディアガイドアプリケーションは、第２のユーザがメディアアセットをブロック解除するためのオプションを含有する通知を第２のユーザ機器に伝送してもよい。例えば、メディアガイドアプリケーションは、通知を母親の携帯電話に伝送してもよい。
【００１３】
いくつかの実施形態では、メディアガイドアプリケーションは、メディアアセットをロック解除する、または第１のユーザからの要求を否認する第２のユーザの決定を知らせることに役立つ、コンテンツを生成する。例えば、メディアガイドアプリケーションは、通知の一部として、「ドラマ」等のブロックされているメディアアセットのジャンルを提示する。代替として、または加えて、メディアガイドアプリケーションは、通知の一部として、「ＴＶ−ＭＡ」等のメディアアセットの評価を提示する。代替として、または加えて、メディアガイドアプリケーションは、通知の一部として、映画のホームページ等のメディアアセットと関連付けられたウェブページへのリンクを提示する。代替として、または加えて、メディアガイドアプリケーションは、通知の一部として、メディアと関連付けられたプレビューを提示する。
【００１４】
代替として、または加えて、メディアガイドアプリケーションは、通知の一部として、メディアをブロック解除するために第２のユーザを説得することを試みる、第１のユーザからのテキスト、画像、ビデオ、およびオーディオの任意の組み合わせ等の第１のユーザからの個人化された通信を提示する。代替として、または加えて、メディアガイドアプリケーションは、通知の一部として、現在のブロック基準を超える評価等、メディアがブロックされている理由のインジケーションを提示する。例えば、メディアガイドアプリケーションは、第１のユーザが「ＴＶ−ＭＡ」番組を鑑賞することができず、「ＴＶ−ＭＡ」評価されているため、メディアアセットがブロックされていることを判定し、本情報を第２のユーザへの通知内に含めてもよい。
【００１５】
メディアガイドアプリケーションは、第２のユーザ機器デバイスまたは第２のユーザと関連付けられた別のユーザ機器デバイスのうちの１つから、第２のユーザと関連付けられた第２の識別子を受信する。例えば、メディアガイドアプリケーションは、第２の識別子の第２のユーザ入力を受信する。第２の識別子は、数字および文字等の任意の有限文字列を含んでいてもよい。例えば、第２の識別子は、「１２３４」または「Ｍｏｍｌ２３」であり得る。いくつかの実施形態では、メディアガイドアプリケーションは、第２のユーザデバイスが、第２のユーザからの任意の入力を伴わずに、第２のユーザを自動的に判定するように、識別子を第２のユーザデバイスと関連付けられたメモリ内に記憶してもよい。
【００１６】
メディアガイドアプリケーションは、第２の識別子が第２のプロフィールと関連付けられた識別子に合致することを判定する。メディアガイドアプリケーションは、受信された識別子と、メモリ内に記憶され、複数のプロフィールと関連付けられた識別子を比較する。第２の識別子と第２のプロフィールと関連付けられた識別子との間の合致の判定に応じて、メディアガイドアプリケーションは、第２のプロフィール内に記憶される設定、許諾、および他のデータを第２のユーザ機器に適用してもよい。例えば、入力された識別子とメモリ内の「母親」に関するプロフィールに対応する識別子の合致に応じて、メディアガイドアプリケーションは、ユーザ「母親」が、第１のユーザがアクセスすることを要求している番組をブロック解除することを可能にしてもよい。
【００１７】
メディアガイドアプリケーションは、第２の識別子が第２のプロフィールと関連付けられた識別子に合致することの判定に応答して、表示のために、第１のユーザ機器デバイス上における第１のユーザによるアクセスのためにメディアアセットをブロック解除するためのオプションを生成する。例えば、メディアガイドアプリケーションは、第２の識別子（例えば、「Ｍｏｍｌ２３」）が第２のプロフィールと関連付けられた識別子に合致することの判定に応答して、第１のユーザがアクセスすることを所望するメディアアセットをブロック解除することを示す、選択可能アイコンまたは他の選択可能特徴をユーザ「母親」に提示する。
【００１８】
いくつかの実施形態では、メディアガイドアプリケーションは、表示のために、メディアアセットをブロック解除するためのオプションとともに、第１のユーザと通信するためのオプションを生成する。例えば、メディアガイドアプリケーションは、第２のユーザが、ゴミを出したかどうか第１のユーザに尋ねるメッセージを伝送することを可能にしてもよい。メディアガイドアプリケーションは、双方向通信を可能にしてもよい。例えば、第１のユーザは、ゴミを出したことを応答し、メディアアセットをブロック解除することを懇願してもよい。
【００１９】
代替として、または加えて、メディアガイドアプリケーションは、表示のために、メディアアセットをブロック解除するためのオプションとともに、所定の期間の間のアクセスに対してメディアアセットを承認するためのオプションを生成する。例えば、メディアガイドアプリケーションは、表示のために、第２のユーザによって規定された期間（例えば、５ｐｍ〜８ｐｍ）にわたってメディアアセットをブロック解除するためのオプションを生成する。第２のユーザによる選択に応じて、メディアガイドアプリケーションは、第２のユーザによって規定された期間の間のみ、番組をブロック解除するであろう。代替として、または加えて、メディアガイドアプリケーションは、表示のために、メディアアセットをブロック解除するためのオプションとともに、メディアの異なるバージョンをブロック解除するためのオプションを生成する。例えば、メディアガイドアプリケーションは、表示のために、第１のユーザに対して適切であり得るメディアアセットの代替バージョン（例えば、「性描写のないもの」または「ディレクターズカット」）のリストを生成する。代替バージョンの第２のユーザによる選択に応じて、メディアガイドアプリケーションは、第１のユーザによるアクセスのためにメディアアセットのそのバージョンをブロック解除するであろう。
【００２０】
メディアガイドアプリケーションは、メディアアセットをブロック解除するためのオプションの選択の受信に応じて、第１のユーザ機器デバイス上における第１のユーザによるアクセスのためにブロックされているメディアアセットをブロック解除する。例えば、第２のユーザがメディアアセットの第１のユーザによるアクセスを承認した後、メディアガイドアプリケーションは、メディアアセットをブロック解除し、第１のユーザがメディアアセットにアクセスすることを可能にする。加えて、いくつかの実施形態に説明されるように、第２のユーザが、メディアアセットにアクセスするために付随する任意の条件を規定している場合、メディアガイドアプリケーションは、それらも同様に実装してもよい。例えば、メディアガイドアプリケーションが、第２のユーザから、第１のユーザが８ｐｍ以降テレビ番組を視聴するべきではないことのインジケーションを受信した場合、メディアガイドアプリケーションは、８ｐｍまでのみ、番組をブロック解除するであろう。
【００２１】
いくつかの実施形態では、メディアガイドアプリケーションは、許可基準が第１のユーザによって満たされる場合、第２のユーザから、メディアアセットにアクセスするための第１のユーザに対する条件付き許可を受信する。例えば、第１のユーザがメディアアセットにアクセスすることを試みる前に、メディアガイドアプリケーションは、第１のユーザが許可基準を満たした場合、第２のユーザから、メディアアセットがブロック解除されることができることの入力を受信する。メディアガイドアプリケーションは、メモリ内の第１のユーザと関連付けられた第１のプロフィールにおいて許可基準を記憶する。第１のユーザによるブロックされているメディアアセットの選択に応じて、メディアガイドアプリケーションは、メディアアセットをブロック解除する前に、許可基準が満たされなければならないことを判定する。メディアガイドアプリケーションは、次いで、表示のために、満たされるためにユーザ入力を要求し得る許可基準とともに、第１のユーザへの通知を生成する。許可基準は、「ＯＫ」ボタンを押下することによって具体的タスクを行ったことを確認することを第１のユーザに求める、メディアガイドアプリケーションによって表示されるメッセージであってもよい。別の実施例として、許可基準は、第１のユーザが具体的タスクを完了したことを確認する、写真またはビデオを第２のユーザに伝送することを要求してもよい。許可基準を正常に満たしたことに応じて、メディアガイドアプリケーションは、第１のユーザによるアクセスのためにメディアアセットをブロック解除する。
【００２２】
上記に説明されるシステムおよび／または方法は、他のシステム、方法、および／または装置に適用される、もしくはそれに従って使用されてもよいことに留意されたい。
【図面の簡単な説明】
【００２３】
本開示の上記および他の目的ならびに利点は、類似参照文字が全体を通して類似部品を指す、添付図面と併せて解釈される、以下の詳細な説明を考慮することによって明白となるであろう。
【００２４】
【図１】図１は、本開示のいくつかの実施形態による、メディアガイドアプリケーションのペアレンタルコントロールモジュールの例証的表示を示す。
【００２５】
【図２】図２は、本開示のいくつかの実施形態による、メディアガイドアプリケーションのペアレンタルコントロールモジュールの別の例証的表示を示す。
【００２６】
【図３】図３は、本開示のいくつかの実施形態による、メディアガイドアプリケーションのペアレンタルコントロールモジュールのさらに別の例証的表示を示す。
【００２７】
【図４】図４は、本開示のいくつかの実施形態による、メディアガイドアプリケーションのペアレンタルコントロールモジュールのさらに別の例証的表示を示す。
【００２８】
【図５】図５は、本開示のいくつかの実施形態による、メディアガイドアプリケーションのペアレンタルコントロールモジュールのさらに別の例証的表示を示す。
【００２９】
【図６】図６は、本開示のいくつかの実施形態による、メディアガイドアプリケーションのペアレンタルコントロールモジュールのさらに別の例証的表示を示す。
【００３０】
【図７】図７は、本開示のいくつかの実施形態による、メディアコンテンツにアクセスする際に使用するための表示画面の例証的実施例を示す。
【００３１】
【図８】図８は、本開示のいくつかの実施形態による、メディアコンテンツにアクセスする際に使用するための表示画面の別の例証的実施例を示す。
【００３２】
【図９】図９は、本開示のいくつかの実施形態による、例証的ユーザ機器デバイスのブロック図である。
【００３３】
【図１０】図１０は、本開示のいくつかの実施形態による、例証的メディアシステムのブロック図である。
【００３４】
【図１１】図１１は、本開示のいくつかの実施形態による、ユーザがブロックされているメディアアセットにアクセスすることを可能にするための例証的ステップのフロー図である。
【００３５】
【図１２】図１２は、本開示のいくつかの実施形態による、第１のユーザと関連付けられた第１のプロフィール内において、第１のユーザに対してメディアアセットへのアクセスを承認する権限を有する第２のユーザを判定するための例証的ステップのセットのフロー図である。
【００３６】
【図１３】図１３は、本開示のいくつかの実施形態による、第２のユーザと関連付けられた第２のプロフィールから、第２のユーザ機器デバイスが第２のユーザと関連付けられるかどうかを判定するための例証的ステップのフロー図である。
【００３７】
【図１４】図１４は、本開示のいくつかの実施形態による、第２の識別子が第２のプロフィールと関連付けられた識別子に合致することを判定するための例証的ステップのフロー図である。
【発明を実施するための形態】
【００３８】
ユーザがブロックされているメディアアセットにアクセスすることを可能にするためのシステムおよび方法が、本明細書に提供される。これらのシステムおよび方法は、ユーザが、ブロックされているメディアアセットへのアクセスを承認することができる、両親または別のユーザが、視聴するためにブロックされているメディアアセットへのアクセスを承認することを要求することを可能にする。要求は、要求者ユーザから遠隔に存在し得る場合でも、両親または他のユーザが要求を承認することができるように、通知として、携帯電話または別の好適なデバイスに伝送されてもよい。要求者ユーザとその承認がメディアアセットをブロック解除するために要求されるユーザ（すなわち、承認者）は両方とも、各ユーザと関連付けられた識別子に基づいて、システムによって識別される。これは、承認者に、要求をサブミットしたユーザを知らせる。加えて、これはまた、承認者が、要求者ユーザのための番組をブロック解除することを可能にする前に、その識別を認証するための識別子をシステムに打ち込まなければならないため、セキュリティの層を追加することになる。
【００３９】
本明細書で参照されるように、「メディアガイドアプリケーション」もしくは「双方向メディアガイドアプリケーション」または時として「メディアガイドアプリケーション」もしくは「ガイドアプリケーション」は、ユーザがメディアアセットを消費および／またはナビゲートすることを可能にする、アプリケーションである。いくつかの実施形態では、メディアガイドアプリケーションは、オンラインアプリケーション（すなわち、ウェブサイト上に提供される）として、またはサーバ上、ユーザデバイス上などの独立型アプリケーションとして提供されてもよい。いくつかの実施形態では、種々のデバイスおよびプラットフォーム上にインストールされた制御回路は、以下により詳細に説明されるように、メディアガイドアプリケーションを実行してもよい。いくつかの実施形態では、本明細書で議論される実施形態のいずれかを行うためのメディアガイドアプリケーションおよび／または任意の命令は、コンピュータ可読媒体上にエンコードされてもよい。コンピュータ可読媒体は、データを記憶することが可能な任意の媒体を含む。コンピュータ可読媒体は、限定ではないが、伝搬電気信号もしくは電磁信号を含む一過性であってもよい、または限定ではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリもしくは記憶デバイスを含む非一過性であってもよい。
【００４０】
図１は、本開示のいくつかの実施形態による、メディアガイドアプリケーションのペアレンタルコントロールモジュールの例証的表示を示す。例えば、表示１００は、現在ブロックされているメディアアセットにアクセスすることを所望するメッセージを別のユーザに伝送するために、ユーザによって使用されるメディアガイドアプリケーションのペアレンタルコントロールモジュール１０２を伴うインターフェースを表してもよい。表示１００は、１つまたはそれを上回るユーザデバイス（例えば、以下の図９−１０に列挙されたデバイスのいずれか）上に現れてもよい。さらに、メディアガイドアプリケーションは、以下の図１１−１４に説明されるプロセスのうちの１つまたはそれを上回るものを使用して、表示１００またはその中に説明される特徴のいずれかを生成してもよい。
【００４１】
図１は、表示１００を含む。表示１００は、表示デバイス（例えば、以下のユーザ機器デバイス１００２、１００４、および／または１００６（図１０））上に現れてもよい。さらに、図９に関連して以下に説明されるような制御回路９０４は、表示１００を生成するために使用されてもよい。表示１００は、メディアガイドアプリケーションのペアレンタルコントロールモジュール１０２を含み、ユーザが視聴するためにメディアアセット１０４「Ｇａｍｅ  ｏｆ  Ｔｈｒｏｎｅｓ」を選択したことを示す。例えば、メディアガイドアプリケーションは、第１のユーザによるメディアアセット１０４を視聴するための要求を受信する。メディアガイドアプリケーションは、第１のユーザからの任意の入力を伴わずに、第１のユーザデバイスが第１のユーザを自動的に判定するように、第１のユーザデバイスと関連付けられたメモリ（例えば、以下の図９に説明されるような記憶装置）内に第１のユーザに対応する第１の識別子を記憶することによって、第１のユーザを判定する。例えば、メディアガイドアプリケーションは、デバイス「Ｊｏｈｎのテレビ」が、常時、プロフィール名「Ｊｏｈｎｌ２３」に対応する識別子によって識別され得るユーザであるＪｏｈｎに関するユーザアカウントと関連付けられるべきであることを記憶してもよい。
【００４２】
メディアガイドアプリケーションは、メディアアセット１０４が第１のユーザに対してブロック基準を満たすことを判定してもよい。前の実施例を継続すると、メディアガイドアプリケーションは、「ＴＶ−ＭＡ」およびより高い評価を伴うメディアアセットが「Ｊｏｈｎｌ２３」に対してブロックされていることのインジケーションを記憶してもよい。メディアガイドアプリケーションは、メディアアセットのあるカテゴリが、以下の図９−１０によってさらに説明されるように、別のデバイスまたはサーバ上のローカルまたは遠隔であり得るメモリ内に記憶されるデータ構造内のＪｏｈｎに対してブロックされていることのインジケーションを記憶してもよい。例えば、データ構造は、Ｃ＋＋等のオブジェクト指向プログラミング言語に典型的なクラスのオブジェクトとして構造化されてもよい。この場合、クラスは、メモリ内に記憶される変数および定数の一般的テンプレートを作成する「ユーザプロフィール」クラスであってもよい。変数および定数は、加えて、以下を含んでもよい。
・ユーザの年齢
・ユーザがメディアアセットへのアクセスを承認する権限を有するかどうかを示すフラグ
・ユーザと関連付けられたソーシャルメディアアカウント
・ユーザと関連付けられた電話番号
・ユーザと関連付けられた電子メールアドレス
・ユーザの視聴選好のリスト、および／または
・現在のユーザプロフィールに対して承認権を有するユーザプロフィールのリスト
【００４３】
「Ｊｏｈｎｌ２３」に関するプロフィール等の各個々のプロフィールは、ユーザプロフィールクラスのオブジェクトであり、説明される変数および定数は、具体的ユーザに対応する値で初期化される。例えば、ユーザが「ＴＶ−ＭＡ」の評価を伴うメディアアセットにアクセスすることができるかどうかに関するブール値は、ユーザプロフィール「Ｊｏｈｎｌ２３」に対して「偽」に設定されてもよい。メディアガイドアプリケーションは、次いで、Ｊｏｈｎに対応するユーザプロフィール内に記憶される情報に基づいて、メディアアセット１０４等の「ＴＶ−ＭＡ」の評価を伴うメディアアセットがＪｏｈｎによって視聴されないようにブロックする。
【００４４】
第１のユーザおよび選択されたメディアアセットがブロックされるべきかどうかの判定に応じて、表示１００は、メディアガイドアプリケーションによって自動的に受信されたプロフィールに対応する識別子をユーザに知らせる、メッセージ１０６を含む。例えば、メディアガイドアプリケーションは、受信された識別子に基づいて現在識別されているユーザがＪｏｈｎであることのメッセージ１０６を生成してもよい。代替実施形態では、メッセージ１０６は、選択可能であってもよく、選択に応じて、ユーザが、図９に説明されるようなユーザ入力インターフェースを使用して、図３−４に説明されるものに類似する異なる識別子を手動で入力することを可能にしてもよい。例えば、Ｊｏｈｎの母親が、彼のデバイスを使用しており、Ｊｏｈｎに対してブロックされているメディアアセットにアクセスすることを所望してもよい。メディアガイドアプリケーションは、Ｊｏｈｎの母親から、アクセスがＪｏｈｎに対して可能にされない特定のメディアアセットに対して可能にされる、異なる記憶されたプロフィールに対応する代替識別子を受信してもよい。
【００４５】
表示１００は、加えて、メディアアセットがブロックされていることのインジケーション１０８を含む。前の実施例を継続すると、メディアガイドアプリケーションは、Ｊｏｈｎに対応するユーザプロフィール内に記憶される情報に基づいて、メディアアセット１０４等の「ＴＶ−ＭＡ」の評価を伴うメディアアセットがＪｏｈｎによって視聴されないようにブロックする。メディアガイドアプリケーションは、次いで、表示のために、表示１００上に、インジケーション１０８を生成する。
【００４６】
表示１００は、加えて、メディアガイドアプリケーションが、メディアアセット１０４にアクセスすることを可能にするための要求を、アクセスを承認するための権限を伴うユーザであるユーザ１１２に伝送している、通知１１０を含む。例えば、メディアガイドアプリケーションは、表示１００上に、要求がユーザ１１２「母親」に送信されたことの表示を生成してもよい。メディアガイドアプリケーションは、第１のユーザに関するプロフィール内に記憶される情報に基づいて、第１のユーザに対してメディアアセットへのアクセスを承認する権限を有するユーザを判定してもよい。例えば、「Ｊｏｈｎ１２３」に関するプロフィール内に、メディアガイドアプリケーションは、「Ｍｏｍ１９８０」であり得る、ユーザである母親に関するプロフィールの識別子等、「Ｊｏｈｎ１２３」に対してメディアアセットへのアクセスを承認する権限を有する、プロフィールと関連付けられた識別子を記憶してもよい。
【００４７】
いくつかの実施形態では、メディアガイドアプリケーションは、第２のユーザと関連付けられた第２のプロフィールから、第２のユーザ機器デバイスが第２のユーザと関連付けられるかどうかを判定する。例えば、メディアガイドアプリケーションは、母親が要求を受信することができるユーザデバイスに対して、母親に関するユーザプロフィールに対応するメモリ内に記憶されたデータ構造にクエリしてもよい。上記に説明されるように、ユーザ機器デバイスは、「Ｍｏｍｌ９８０」に関するプロフィールに対応するオブジェクト内に位置する、変数内に記憶されてもよい。メディアガイドアプリケーションは、メディアガイドアプリケーションがユーザ機器デバイスにコンタクトすることを可能にする情報を含有する、本変数内に記憶されるデータを読み出してもよい。例えば、デバイスが、携帯電話である場合、メディアガイドアプリケーションは、電話番号を読み出し、テキストメッセージを介して、要求を伝送してもよい。メディアガイドアプリケーションが、第２のユーザが要求を受信することができる、第２のユーザと関連付けられたユーザ機器デバイスが存在しないことを判定する場合、メディアガイドアプリケーションは、第１のユーザに対してブロックされているメディアへのアクセスを承認するための権限を伴う別のユーザに関して、第１のプロフィールと関連付けられたデータ構造に再びクエリしてもよい。例えば、いずれのユーザ機器デバイス情報も、プロフィール「Ｍｏｍ１９８０」内に記憶されていない場合、メディアガイドアプリケーションは、ユーザ「Ｊｏｈｎｌ２３」に関するプロフィールと関連付けられたアクセスを承認するための権限を伴うユーザプロフィールを記憶するデータ構造にクエリすることから、「Ｄａｄ１９７９」も同様にアクセスを承認する権限を有することを判定してもよい。
【００４８】
本開示のいくつかの側面では、メディアガイドアプリケーションは、第２のユーザ機器デバイスが第２のユーザと関連付けられることの判定に応答して、第２のユーザと関連付けられた第２のユーザ機器デバイス上において、第１のユーザがブロックされているメディアアセットへのアクセスを要求したことの通知を第２のユーザに伝送する。例えば、第２のユーザ機器デバイスが第２のユーザと関連付けられることの判定に応じて、メディアガイドアプリケーションは、第２のユーザがメディアアセットをブロック解除するためのオプションを含有するメディアアセットへのアクセスを第１のユーザが要求していることの通知を第２のユーザ機器に伝送してもよい。例えば、メディアガイドアプリケーションは、ユーザである母親が、クエリの結果、携帯電話を有することを判定してもよく、要求を携帯電話に伝送してもよい。
【００４９】
代替として、または加えて、メディアガイドアプリケーションが、第２のユーザが閾値時間量にわたって応答しなかったことを判定する場合、メディアガイドアプリケーションは、第１のユーザに対してブロックされているメディアへのアクセスを承認するための権限を伴う第３のユーザに関して、第１のユーザと関連付けられた第１のプロフィールを含有するメモリ内に記憶されたデータ構造にクエリしてもよい。例えば、メディアガイドアプリケーションが、通知を母親に対応するプロフィール内に記憶されるユーザデバイスに伝送するが、閾値期間（例えば、５分）にわたって応答を受信しない場合、メディアガイドアプリケーションは、メディアアセットへのアクセスを可能にすることができる別のユーザを判定し、要求をそのプロフィール内に記憶されるユーザ機器デバイス（例えば、上記に説明されるように、プロフィール「Ｄａｄｌ９７９」内に変数として記憶されるユーザ機器デバイス）に伝送してもよい。
【００５０】
図２は、本開示のいくつかの実施形態による、メディアガイドアプリケーションのペアレンタルコントロールモジュールの別の例証的表示を示す。例えば、表示２００は、ブロックされているメディアアセットへのアクセスを承認するユーザによって使用されるメディアガイドアプリケーションのペアレンタルコントロールモジュール２０２を伴う、インターフェースを表してもよい。表示２００は、１つまたはそれを上回るユーザデバイス（例えば、以下の図９−１０に列挙されたデバイスのいずれか）上に現れてもよい。さらに、メディアガイドアプリケーションは、以下の図１１−１４に説明されるプロセスのうちの１つまたはそれを上回るものを使用し、表示２００またはその中に説明される特徴のいずれかを生成してもよい。
【００５１】
図２は、表示２００を含む。表示２００は、表示デバイス（例えば、以下のユーザ機器デバイス１００２、１００４、および／または１００６（図１０））上に現れてもよい。さらに、図９に関連して以下に説明されるような制御回路９０４が、表示２００を生成するために使用されてもよい。表示２００は、メディアガイドアプリケーションのペアレンタルコントロールモジュール２０２を含み、ユーザがメディアアセット２０６がブロック解除されることを要求していることを示す。例えば、メディアガイドアプリケーションは、メディアアセット２０６「Ｇａｍｅ  ｏｆ  Ｔｈｒｏｎｅｓ」にアクセスするための第１のユーザＪｏｈｎからの要求を提示してもよい。
【００５２】
いくつかの側面では、メディアガイドアプリケーションは、第１のユーザからの任意の入力を伴わずに、第２のユーザデバイスが第２のユーザを自動的に判定するように、第２のユーザに対応する第２の識別子を第２のユーザデバイスと関連付けられたメモリ内に記憶することによって、第２のユーザを判定する。例えば、メディアガイドアプリケーションは、デバイス「母親の電話」が、常時、プロフィール名「Ｍｏｍ１９８０」に対応する識別子によって識別され得る、ユーザである母親に関するユーザアカウントと関連付けられるべきであることを記憶してもよい。表示２００は、メディアガイドアプリケーションによって自動的に受信されたプロフィールに対応する識別子をユーザに知らせる、メッセージ２０４を含む。例えば、メディアガイドアプリケーションは、受信された識別子に基づいて現在識別されているユーザが母親であることのメッセージ２０４を生成してもよい。代替実施形態では、メッセージ２０４は、選択可能であってもよく、選択に応じて、ユーザが、図９に説明されるようなユーザ入力インターフェースを使用して、図３−４に説明されるものに類似する異なる識別子を手動で入力することを可能にしてもよい。例えば、ユーザである父親が、ユーザである母親のデバイスを使用している場合があり、プロフィールを切り替えることを所望し得る。メディアガイドアプリケーションは、父親から、異なる記憶されたプロフィールに対応する代替識別子を受信してもよい。
【００５３】
メディアガイドアプリケーションが、受信された第２の識別子がユーザプロフィールのインデックスデータ構造内に記憶されるプロフィールに対応しないことを判定する場合、メディアガイドアプリケーションは、第１のユーザに対してブロックされているメディアへのアクセスを承認するための権限を伴う別のユーザに関して、第１のユーザと関連付けられた第１のプロフィールに再びクエリしてもよい。例えば、メディアガイドアプリケーションが、識別子がプロフィールに対応しないことを判定した後、メディアガイドアプリケーションは、第１のプロフィールと関連付けられたアクセスを承認するための権限を伴うユーザを含有する、データ構造にクエリしてもよい。メディアガイドアプリケーションは、上記図１に説明されるものと同一プロセスを使用して、第１のユーザに対してメディアアセットへのアクセスを承認することができる任意の他のユーザが存在するかどうかを判定することを試みてもよい。
【００５４】
メディアガイドアプリケーションは、第２の識別子が第２のプロフィールと関連付けられた識別子に合致することの判定に応答して、表示のために、第１のユーザ機器デバイス上における第１のユーザによるアクセスのためにメディアアセットをブロック解除するためのオプションを生成してもよい。例えば、母親と関連付けられたプロフィールにポイントする識別子「Ｍｏｍ１９８０」に基づいて、デバイスのユーザが母親であることの判定に応答して、メディアガイドアプリケーションは、表示のために、表示２００上に、第１のユーザがアクセスすることを所望するメディアアセット２０６をブロック解除することができることを示す、第２のユーザへの選択可能アイコン２０８または他の選択可能特徴を生成する。メディアガイドアプリケーションは、加えて、表示のために、表示２００上に、要求２１０を否認するためのオプションを生成してもよい。いくつかの実施形態では、要求２１０を否認するためのオプションは、通知を閉じるためのオプションであってもよく、通知を閉じることは、要求の暗示的否認として作用する。
【００５５】
メディアガイドアプリケーションは、メディアアセット２０６をブロック解除するためのオプション２０８の選択の受信に応じて、第１のユーザ機器上における第１のユーザによるアクセスのためにブロックされているメディアアセットをブロック解除してもよい。例えば、ユーザである母親が、メディアアセットのユーザであるＪｏｈｎによるアクセスを承認した後、メディアガイドアプリケーションは、メディアアセットをブロック解除し、Ｊｏｈｎがメディアアセットにアクセスすることを可能にしてもよい。逆に言えば、ユーザである母親による否認するためのオプション２１０の選択に応じて、メディアアセット２０６は、ブロックされたままであって、ユーザであるＪｏｈｎにアクセス不可能となるであろう。
【００５６】
図３は、本開示のいくつかの実施形態による、メディアガイドアプリケーションのペアレンタルコントロールモジュールのさらに別の例証的表示を示す。例えば、表示３００は、ブロックされているメディアアセットへのアクセスを承認するためにユーザによって使用されるメディアガイドアプリケーションのペアレンタルコントロールモジュール３０２を伴う、インターフェースを表してもよい。表示３００は、１つまたはそれを上回るユーザデバイス（例えば、以下の図９−１０に列挙されたデバイスのいずれか）上に現れてもよい。さらに、メディアガイドアプリケーションは、以下の図１１−１４に説明されるプロセスのうちの１つまたはそれを上回るものを使用し、表示３００またはその中に説明される特徴のいずれかを生成してもよい。
【００５７】
図３は、表示３００を含む。表示３００は、表示デバイス（例えば、以下のユーザ機器デバイス１００２、１００４、および／または１００６（図１０））上に現れてもよい。さらに、図９に関連して以下に説明されるような制御回路９０４が、表示３００を生成するために使用されてもよい。表示３００は、ユーザに識別子３０４を入力するように促す、メディアガイドアプリケーションのペアレンタルコントロールモジュール３０２を含む。メディアガイドアプリケーションは、図９に説明されるようなユーザ入力インターフェースを使用して、識別子のユーザ入力を受信してもよい。識別子は、数字および文字等の任意の有限文字列を含んでいてもよい。例えば、識別子は、「１２３４」または「Ｊｏｅｌ２３」であり得る。いくつかの実施形態では、識別子は、網膜走査または指紋等のバイオメトリックデータであってもよい。
【００５８】
メディアガイドアプリケーションは、図１に詳細に説明されるように、ユーザによって入力された識別子とメモリ内に記憶されるプロフィールを合致させる。例えば、ユーザ入力「Ｊｏｈｎ１２３」の受信に応じて、メディアガイドアプリケーションは、識別子「Ｊｏｈｎｌ２３」がユーザであるＪｏｈｎに対応するメモリ内に記憶されるプロフィールの識別子に合致することを判定してもよい。表示３００は、メディアガイドアプリケーションによって受信されたプロフィールに対応する識別子をユーザに知らせる、メッセージ３１０を含む。例えば、メディアガイドアプリケーションは、受信された識別子に基づいて、現在識別されているユーザがＪｏｈｎであることのメッセージ３１０を生成してもよい。
【００５９】
メディアガイドアプリケーションは、表示のために、表示３００上に、承認者３０６に通知するための選択可能オプションを生成する。例えば、選択可能オプション３０６のユーザによる選択に応じて、メディアガイドアプリケーションは、上記図１に説明されるように、要求を伝送するための第２のユーザを判定する。メディアガイドアプリケーションは、表示のために、承認者に通知しないための選択可能オプション３０８を生成してもよい。図９に説明されるようなユーザ入力インターフェースを使用した選択可能オプション３０８のユーザによる選択に応じて、メディアアセットは、ブロックされたままであって、要求は、ユーザに伝送されないであろう。
【００６０】
いくつかの実施形態では、承認を要求するための選択可能オプション３０６はさらに、メディアアセットへのアクセスを承認する権限を伴う複数のユーザから、要求を伝送するためのメディアアセットへのアクセスを承認する権限を伴う具体的ユーザを選定するためのオプションを備えてもよい。例えば、Ｊｏｈｎは、母親が要求に応じられないことを把握している場合があり、メディアガイドアプリケーションが、代わりに、同様にメモリ内に記憶されるＪｏｈｎのプロフィール内にＪｏｈｎに対してメディアアセットへのアクセスを承認する権限を伴うユーザとして列挙されている、父親に要求を伝送することを所望してもよい。いくつかの実施形態では、メディアガイドアプリケーションは、具体的ユーザが第１のユーザと関連付けられたプロフィール内のデフォルトユーザであることを示すフラグに基づいて、要求を伝送するためのメディアアセットへのアクセスを承認する権限を伴うユーザを選定してもよい。例えば、Ｊｏｈｎに対応するプロフィール内において、Ｊｏｈｎの母親は、通知するためのデフォルトユーザとして示されてもよく、その場合、メディアガイドアプリケーションは、通知をＪｏｈｎの母親に最初に伝送するであろう。
【００６１】
メディアガイドアプリケーションによるアクセスを承認するための要求の伝送は、上記図１に説明されるように行われる。表示３００は、加えて、上記図１に説明されるように、メディアガイドアプリケーションが、メディアアセットへのアクセスを可能にするための要求をアクセスを承認するための権限を伴うユーザであるユーザ３１２に伝送していることの通知３１２を含む。例えば、メディアガイドアプリケーションは、表示１００上に、要求がユーザ３１２「母親」に送信されたことの表示を生成してもよい。
【００６２】
図４は、本開示のいくつかの実施形態による、メディアガイドアプリケーションのペアレンタルコントロールモジュールのさらに別の例証的表示を示す。例えば、表示４００は、ブロックされているメディアアセットへのアクセスを承認するための要求を受信するためにユーザによって使用されるペアレンタルコントロールモジュール４０２を伴う、インターフェースを表してもよい。表示４００は、１つまたはそれを上回るユーザデバイス（例えば、以下の図９−１０に列挙されたデバイスのいずれか）上に現れてもよい。さらに、メディアガイドアプリケーションは、以下の図１１−１４に説明されるプロセスのうちの１つまたはそれを上回るものを使用し、表示４００またはその中に説明される特徴のいずれかを生成してもよい。
【００６３】
図４は、表示４００を含む。表示４００は、表示デバイス（例えば、以下のユーザ機器デバイス１００２、１００４、および／または１００６（図１０））上に現れてもよい。さらに、図９に関連して以下に説明されるような制御回路９０４が、表示４００を生成するために使用されてもよい。表示４００は、メディアガイドアプリケーションのペアレンタルコントロールモジュール４０２を含み、ユーザがメディアアセット４０４「Ｇａｍｅ  ｏｆ  Ｔｈｒｏｎｅｓ」にアクセスすることを要求していることを示す。例えば、メディアガイドアプリケーションは、メディアアセット４０４を視聴するための第１のユーザ３１０による要求を含有する通知を受信し、メディアアセットへのアクセスを承認する権限を伴うユーザがユーザ機器デバイスを使用している人物であることを確実にするために、ユーザが要求を承認するかどうかを選定することを可能にする前に、第２のユーザに識別４０８を促す。
【００６４】
表示４００は、ユーザに識別子４０８を入力するように促す、ペアレンタルコントロールモジュール４０２を含む。メディアガイドアプリケーションは、図９に説明されるようなユーザ入力インターフェースを使用して、識別子のユーザ入力を受信してもよい。識別子は、数字および文字等の任意の有限文字列を含んでいてもよい。例えば、識別子は、「１２３４」または「Ｊｏｅｌ２３」であり得る。
【００６５】
メディアガイドアプリケーションは、図１−２に詳細に説明されるように、ユーザによって入力された受信された識別子とメモリ内に記憶されるプロフィールを合致させる。例えば、メディアガイドアプリケーションがユーザ入力「Ｍｏｍ１９８０」を受信したことに応じて、メディアガイドアプリケーションは、識別子「Ｍｏｍ１９８０」がユーザ４１０に対応するメモリ内に記憶されるプロフィールの識別子に合致することを判定してもよい。
【００６６】
表示４００は、メディアガイドアプリケーションによって受信されたプロフィールに対応する識別子をユーザに知らせる、メッセージ４１０を含む。例えば、メディアガイドアプリケーションは、受信された識別子に基づいて、現在識別されているユーザ４１０が母親であることのメッセージを生成する。メディアガイドアプリケーションは、表示のために、表示４００上に、第１のユーザがブロックされているメディアアセット４１２にアクセスすることを所望していることの通知を生成する。例えば、メディアガイドアプリケーションは、ユーザであるＪｏｈｎが「Ｇａｍｅ  ｏｆ  Ｔｈｒｏｎｅｓ」にアクセスすることを所望していることの表示を生成する。いくつかの実施形態では、メディアガイドアプリケーションは、表示のために、第１のユーザ機器デバイス上における第１のユーザによるアクセスのためにメディアアセットをブロック解除するためのオプション４１４と、要求を否認し、メディアアセットをブロックされたままにするためのオプション４１６とを生成してもよい。これらのオプションは、図２に説明されるオプション２０８および２１０と同一様式において動作する。
【００６７】
図５は、本開示のいくつかの実施形態による、メディアガイドアプリケーションのペアレンタルコントロールモジュールのさらに別の例証的表示を示す。例えば、表示５００は、ユーザが要求を承認するかどうかを決定することに役立ち得る付加的情報とともに、ブロックされているメディアアセットへのアクセスを承認するための要求を受信するためにユーザによって使用されるメディアガイドアプリケーションのペアレンタルコントロールモジュール５０２を伴う、インターフェースを表してもよい。表示５００は、１つまたはそれを上回るユーザデバイス（例えば、以下の図９−１０に列挙されたデバイスのいずれか）上に現れてもよい。さらに、メディアガイドアプリケーションは、以下の図１１−１４に説明されるプロセスのうちの１つまたはそれを上回るものを使用し、表示５００またはその中に説明される特徴のいずれかを生成してもよい。
【００６８】
図５は、表示５００を含む。表示５００は、表示デバイス（例えば、以下のユーザ機器デバイス１００２、１００４、および／または１００６（図１０））上に現れてもよい。さらに、図９に関連して以下に説明されるような制御回路９０４が、表示５００を生成するために使用されてもよい。表示５００は、メディアガイドアプリケーションのペアレンタルコントロールモジュール５０２を含み、ユーザがメディアアセット５０４にアクセスすることを要求していることを示す。例えば、メディアガイドアプリケーションは、表示のために、ユーザであるＪｏｈｎからのメディアアセット「Ｇａｍｅ  ｏｆ  Ｔｈｒｏｎｅｓ」にアクセスするための通知５０４を生成する。
【００６９】
メディアガイドアプリケーションは、図１０に説明されるように、通信ネットワークを介して、メディアガイドデータソースに記憶されるブロックされているメディアアセットと関連付けられたデータ構造から、ブロックされているメディアアセットと関連付けられたデータを読み出してもよい。例えば、データ構造は、メディアのジャンル、メディアの評価、および／またはメディアと関連付けられたウェブページへのリンクを含有してもよい。
【００７０】
メディアガイドアプリケーションは、表示のために、表示５００上に、通知の一部として、「ＴＶ−ＭＡ」等のメディアアセットの評価５０６を生成してもよい。代替として、または加えて、メディアガイドアプリケーションは、表示のために、表示５００上に、通知の一部として、「ドラマ」等のブロックされているメディアアセットのジャンル５０８を生成してもよい。代替として、または加えて、メディアガイドアプリケーションは、表示のために、表示５００上に、メディアアセットがブロックされている理由のインジケーション５１０を生成してもよい。例えば、メディアガイドアプリケーションは、第１のユーザプロフィール内に記憶されるデータに基づいて、第１のユーザが「ＴＶ−ＭＡ」番組を鑑賞することができず、「ＴＶ−ＭＡ」評価されるため、メディアアセットがブロックされていることを判定してもよく、本情報を第２のユーザへの通知内に含んでもよい。代替として、または加えて、メディアガイドアプリケーションは、表示のために、表示５００上に、通知の一部として、映画またはテレビ番組に関するオフィシャルホームページ等のメディアアセットと関連付けられたウェブページ５１２へのリンクを生成してもよい。代替として、または加えて、メディアガイドアプリケーションは、表示のために、表示５００上に、通知の一部として、メディアアセットと関連付けられたプレビュー５１４を生成してもよい。例えば、メディアガイドアプリケーションは、図１０に説明されるように、通信ネットワークを介して、メディアコンテンツソースからメディアアセットと関連付けられたプレビュー５１４を読み出してもよい。
【００７１】
代替として、または加えて、メディアガイドアプリケーションは、表示のために、表示５００上に、通知の一部として、第１のユーザからのテキスト５２０および／または画像５１８等の第１のユーザからの個人化された通信５１６を生成してもよい。例えば、ユーザであるＪｏｈｎは、最近清掃された自分の部屋の画像を示し、部屋を掃除したためメディアアセットへのアクセスに値することを説明することによって、母親がメディアアセットをロック解除するように説得しようとしてもよい。代替として、または加えて、メディアガイドアプリケーションは、メッセージを伝送するための選択可能オプション５２４を第１のユーザに提示してもよい。図９に説明されるようなユーザ入力インターフェースを使用した第２のユーザによる選択可能オプション５２４の選択に応じて、メディアガイドアプリケーションは、図９に説明されるようなユーザ入力インターフェースを使用した第２のユーザから、メディアアセットのアクセスを要求する第１のユーザへのメッセージを受信する。メディアガイドアプリケーションは、次いで、図１０に説明されるように、通信ネットワークを使用して、個人化された通信を第１のユーザ機器デバイスに伝送する。例えば、Ｊｏｈｎの母親は、部屋の清掃に加え、ゴミも出したかどうかＪｏｈｎに尋ねる通信を伝送してもよい。
【００７２】
メディアガイドアプリケーションは、表示のために、表示５００上に、通知の一部として、設定時間量にわたってメディアアセットへのアクセスを可能にするための選択可能オプション５２６を生成してもよい。選択可能オプション５２６の選択に応じて、メディアガイドアプリケーションは、要求者ユーザがメディアにアクセスすることを可能にするための期間のユーザ選択を受信してもよい。例えば、メディアガイドアプリケーションは、Ｊｏｈｎの母親から、遅くなり過ぎる前に就寝するように、２時間のみＪｏｈｎに対してメディアアセットへのアクセスを可能にするための選択可能オプション５２６の選択を受信してもよい。代替として、または加えて、メディアガイドアプリケーションは、表示のために、表示５００上に、通知の一部として、第２のユーザがメディアアセットをブロック解除する時間から開始する２時間とは対照的に、具体的時間範囲５３０の間、メディアアセットへのアクセスを可能にするための選択可能オプションを生成してもよい。選択可能オプション５３０の選択に応じて、メディアガイドアプリケーションは、要求者ユーザがメディアにアクセスすることを可能にするための開始時間および終了時間のユーザ選択を受信してもよい。例えば、メディアガイドアプリケーションは、Ｊｏｈｎの母親から、遅くなり過ぎる前に就寝するように、Ｊｏｈｎに対して６ｐｍ〜８ｐｍのメディアアセットへのアクセスを可能にするための選択可能オプション５３０の選択を受信してもよい。
【００７３】
メディアガイドアプリケーションは、第１のユーザプロフィール内に、第１のユーザがアクセスすることが認可される具体的メディアアセットを参照する変数と、第１のユーザがアクセスすることを可能にするために付随する任意の条件とを含有する、Ｃ＋＋における構造等のデータ構造を記憶してもよい。メディアガイドアプリケーションは、第２のユーザによって第１のユーザに対してメディアアセットにアクセスするために要求される条件の選択に基づいて、データ構造内の変数を設定するであろう。例えば、メディアガイドアプリケーションが、選択可能オプション５３０の選択を受信し、開始時間および終了時間を受信することに応じて、メディアガイドアプリケーションは、変数「開始」および「終了」を、アクセスを承認するための権限を伴うユーザによって選択された時間に設定してもよい。メディアガイドアプリケーションは、次いで、第１のユーザによるアクセスのためにメディアアセットをブロック解除する前に、条件が満たされることを確実にするためにチェックするであろう。
【００７４】
代替として、または加えて、メディアガイドアプリケーションは、表示のために、表示５００上に、通知の一部として、メディアアセットの代替バージョン５２８にアクセスすることを可能にするための選択可能オプションを生成してもよい。選択可能オプション５２８の選択に応じて、メディアガイドアプリケーションは、要求者ユーザがアクセスするためにより適切であり得る、メディアアセットの特定のバージョンのユーザ選択を受信してもよい。例えば、Ｊｏｈｎの母親は、Ｊｏｈｎが、メディアガイドアプリケーションが、図１０に説明されるように、通信ネットワークを介して、メディアコンテンツソースからアクセスし得る、性描写および裸体が隠されている、メディアアセットのバージョンにアクセスすることを可能にしてもよい。
【００７５】
メディアガイドアプリケーションは、表示のために、第１のユーザ機器デバイス上における第１のユーザによるアクセスのためにメディアアセットをブロック解除するためのオプション５２２と、通知を否認し、メディアアセットをブロックされたままにするためのオプション５３２とを生成してもよい。これらのオプションは、図２に説明されるオプション２０８および２１０と同一様式において動作する。
【００７６】
図６は、本開示のいくつかの実施形態による、メディアガイドアプリケーションのペアレンタルコントロールモジュールのさらに別の例証的表示を示す。例えば、表示６００は、別のユーザによる将来的アクセスのための条件付き承認条件を設定するために、メディアアセットへのアクセスを制御するための権限とともに、ユーザによって使用されるメディアガイドアプリケーションのペアレンタルコントロールモジュール６０２を伴う、インターフェースを表してもよい。表示６００は、１つまたはそれを上回るユーザデバイス（例えば、以下の図９−１０に列挙されたデバイスのいずれか）上に現れてもよい。さらに、メディアガイドアプリケーションは、以下の図１１−１４に説明されるプロセスのうちの１つまたはそれを上回るものを使用し、表示６００またはその中に説明される特徴のいずれかを生成してもよい。
【００７７】
図６は、表示６００を含む。表示６００は、表示デバイス（例えば、以下のユーザ機器デバイス１００２、１００４、および／または１００６（図１０））上に現れてもよい。さらに、図９に関連して以下に説明されるような制御回路９０４が、表示６００を生成するために使用されてもよい。表示６００は、メディアガイドアプリケーションのペアレンタルコントロールモジュール６０２を含み、ユーザ６０４「母親」が、図１−２に説明されるようにメモリ内に記憶されるか、または図３−４に説明されるようにユーザによって入力されるかのいずれかであり得る、識別子に基づいて識別されたことを示す。
【００７８】
本開示のいくつかの側面では、メディアガイドアプリケーションは、第１のユーザ６０６に対してメディアアセットへのアクセスを承認する権限を有する、図９に説明されるようなユーザ入力インターフェースを使用した第２のユーザ選択を受信してもよい。例えば、メディアガイドアプリケーションは、Ｊｏｈｎの母親（ユーザ「母親」）による選択を受信してもよい。メディアガイドアプリケーションは、第２のユーザから、図９に説明されるようなユーザ入力インターフェースを使用したメディアアセット６０８の選択を受信する。例えば、メディアガイドアプリケーションは、Ｊｏｈｎの母親から、条件付き承認条件を付随させるためのメディアアセット「Ｇａｍｅ  ｏｆ  Ｔｈｒｏｎｅｓ」の選択を受信してもよい。
【００７９】
いくつかの実施形態では、メディアガイドアプリケーションは、第１のユーザがメディアアセットにアクセスすることを可能にされる、期間の第２のユーザ選択６１０を受信してもよい。例えば、メディアガイドアプリケーションは、第２のユーザから、第１のユーザがメディアアセットにアクセスすることを可能にされる日中の開始時間および終了時間のユーザ入力を受信してもよい。例えば、メディアガイドアプリケーションは、Ｊｏｈｎの母親から、開始時間６ｐｍおよび終了時間８ｐｍの選択を受信してもよい。いくつかの実施形態では、メディアガイドアプリケーションは、期間６１０が適用可能な具体的日付６１２の選択を受信してもよい。具体的日付は、「全日」、「月曜日〜金曜日のみ」、「具体的日付」、または「その他」を指し得る。例えば、メディアガイドアプリケーションは、Ｊｏｈｎの母親による「月曜日〜金曜日の全日」の選択を受信してもよく、これは、Ｊｏｈｎが、６１０に規定された期間の間、月曜日〜金曜日にメディアアセットにアクセスすることを可能にされることを意味する。
【００８０】
いくつかの実施形態では、メディアガイドアプリケーションは、リマインダメッセージ６１４の第２のユーザ入力を受信してもよい。リマインダメッセージは、第１のユーザに表示可能なテキスト、画像、または他のマルチメディアを備えてもよい。例えば、メディアガイドアプリケーションは、Ｊｏｈｎの母親から、部屋を掃除し、ゴミを出したかどうかをＪｏｈｎに尋ねるテキストを受信してもよく、これは、次いで、Ｊｏｈｎがメディアアセットにアクセスすると、メディアガイドアプリケーションによって表示されてもよい。いくつかの実施形態では、メディアガイドアプリケーションは、表示のために、表示６００上に、第１のユーザ６１６からの確認を要求するためのオプションを生成してもよい。例えば、メディアガイドアプリケーションが、「はい」の第２のユーザ選択を受信する場合、メディアガイドアプリケーションは、リマインダメッセージ６１４を受信し、理解したことのユーザによる肯定応答を要求するであろう。
【００８１】
いくつかの実施形態では、メディアガイドアプリケーションは、表示のために、表示６００上に、第１のユーザによって要求される確認６１８の形態を選定するためのオプションを生成してもよい。例えば、メディアガイドアプリケーションが、確認を要求するためのオプション６１６に関して「はい」の選択を受信する場合、メディアガイドアプリケーションは、確認の形態を選定するためのオプション６１８の付加的選択を受信してもよい。例えば、メディアガイドアプリケーションは、「メッセージ」、「写真」、または「ＯＫの選択」を要求する、第２のユーザ選択を受信してもよい。メディアガイドアプリケーションが、「メッセージ」の選択を受信する場合、第１のユーザに、テキストメッセージを入力することを要求してもよく、これは、次いで、メディアアセットをブロック解除する前に、第２のユーザに伝送される。メディアガイドアプリケーションが、「写真」の選択を受信する場合、第１のユーザに、写真を入力することを要求してもよく、これは、次いで、メディアアセットをブロック解除する前に、第２のユーザに伝送される。メディアガイドアプリケーションが、「ＯＫの選択」の選択を受信する場合、メディアガイドアプリケーションは、第１のユーザに、メディアアセットをブロック解除する前に、「ＯＫ」と標識された選択可能オプションを選択することによって、リマインダを肯定応答することを要求してもよい。
【００８２】
いくつかの実施形態では、メディアガイドアプリケーションは、表示のために、表示６００上に、第１のユーザがメディアアセットにアクセスすることを試みるとき、第２のユーザに通知するためのオプション６２０を生成してもよい。例えば、第２のユーザによる「はい」の選択の受信に応じて、メディアガイドアプリケーションは、第１のユーザがメディアアセットにアクセスすることを試みると、通知を第２のユーザに伝送するであろう。メディアガイドアプリケーションは、第１のユーザが承認基準を満たすことによってメディアアセットに正常にアクセスしたかどうかにかかわらず、第１のユーザがメディアアセットにアクセスすることを試みていることの通知を伝送してもよい。メディアガイドアプリケーションは、図１−４に説明されるように、第２のユーザと関連付けられた記憶されたプロフィールのデータ構造にクエリすることによって、第２のユーザと関連付けられたユーザ機器デバイスを判定してもよい。
【００８３】
メディアガイドアプリケーションは、上記図５に説明されたように、第１のユーザプロフィール内に、第１のユーザがアクセスすることが認可される具体的メディアアセットを参照する変数と、アクセスすることを可能にするために付随する任意の条件とを含有する、Ｃ＋＋における構造等のデータ構造を記憶してもよい。メディアガイドアプリケーションは、第２のユーザによって第１のユーザに対してメディアアセットにアクセスするために要求される条件の選択に基づいて、データ構造内の変数を設定してもよい。例えば、メディアガイドアプリケーションが、メディアアセット６０８に関する条件付き承認条件を受信することに応じて、メディアガイドアプリケーションは、上記に説明されるように、データ構造内に、第１のプロフィール内のメディアアセット６０８と関連付けられた条件を記憶してもよい。例えば、選択可能オプション６１０の選択の受信と、開始時間および終了時間の受信とに応じて、メディアガイドアプリケーションは、変数「開始」および「終了」をアクセスを承認するための権限を伴うユーザによって選択された時間に設定してもよい。メディアガイドアプリケーションは、次いで、第１のユーザによるアクセスのためにメディアアセットをブロック解除する前に、条件が満たされることを確実にするためにチェックしてもよい。
【００８４】
任意の所与のコンテンツ配信システムでユーザに利用可能なコンテンツの量が、膨大であり得る。その結果、多くのユーザは、ユーザがコンテンツ選択を効率的にナビゲートし、所望し得るコンテンツを容易に識別することを可能にするインターフェースを通したメディアガイドの形態を所望する。そのようなガイドを提供するアプリケーションは、本明細書では、双方向メディアガイドアプリケーションと称されるが、時として、メディアガイドアプリケーションまたはガイドアプリケーションと称されることもある。
【００８５】
双方向メディアガイドアプリケーションは、ガイドを提供するコンテンツに応じて、種々の形態をとってもよい。典型的なタイプのメディアガイドアプリケーションの１つは、双方向テレビ番組ガイドである。双方向テレビ番組ガイド（時として、電子番組ガイドと称される場合もある）は、とりわけ、ユーザが、多くのタイプのコンテンツまたはメディアアセット間をナビゲートし、それを特定することが可能である、公知のガイドアプリケーションである。双方向メディアガイドアプリケーションは、ユーザが、コンテンツ間をナビゲートし、それを特定および選択することを可能にする、グラフィカルユーザインターフェース画面を生成してもよい。本明細書で参照されるように、用語「メディアアセット」および「コンテンツ」とは、電子的に消費可能なユーザアセット、例えば、テレビ番組、ならびに有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生一覧、ウェブサイト、記事、書籍、電子書籍、ブログ、チャットセッション、ソーシャルメディア、アプリケーション、ゲーム、および／または任意の他のメディアもしくはマルチメディア、および／またはそれらの組み合わせを意味すると理解されたい。ガイドアプリケーションはまた、ユーザが、コンテンツ間をナビゲートし、それを特定することを可能にする。本明細書で参照されるように、用語「マルチメディア」とは、前述の少なくとも２つの異なるコンテンツ形態、例えば、テキスト、オーディオ、画像、ビデオ、または双方向コンテンツ形態を利用する、コンテンツを意味すると理解されたい。コンテンツは、ユーザ機器デバイスによって、録画、再生、表示、またはアクセスされてもよいが、また、ライブパーフォーマンスの一部であることも可能である。
【００８６】
本明細書で議論される実施形態のいずれかを行うためのメディアガイドアプリケーションおよび／または任意の命令は、コンピュータ可読媒体上にエンコードされてもよい。コンピュータ可読媒体は、データを記憶することが可能な任意のメディアを含む。コンピュータ可読媒体は、限定ではないが、電気信号または電磁信号の伝搬を含む一過性であってもよく、または、限定ではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む非一過性であってもよい。
【００８７】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の前述のコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または背面カメラを有してもよい。これらのユーザ機器デバイス上で、ユーザは、テレビを通して利用可能な同一のコンテンツ間をナビゲートし、それを特定することが可能であってもよい。その結果として、メディアガイドは、これらのデバイス上でも利用可能であってもよい。提供されるガイドは、テレビのみを通して利用可能なコンテンツ、他のタイプのユーザ機器デバイスのうちの１つまたはそれを上回るものみを通して利用可能なコンテンツ、またはテレビおよび他のタイプのユーザ機器デバイスのうちの１つまたはそれを上回るもの両方を通して利用可能なコンテンツのためのものであってもよい。メディアガイドアプリケーションは、ユーザ機器デバイス上で、オンラインアプリケーション（すなわち、ウェブサイト上で提供される）、もしくは独立型アプリケーションまたはクライアントとして提供されてもよい。メディアガイドアプリケーションを実装し得る、種々のデバイスおよびプラットフォームは、以下でより詳細に説明される。
【００８８】
メディアガイドアプリケーションの機能の１つは、メディアガイドデータをユーザに提供することである。本明細書で参照されるように、語句「メディアガイドデータ」または「ガイドデータ」は、コンテンツに関連する任意のデータ、またはガイドアプリケーションを動作させる際に使用されるデータを意味すると理解されたい。例えば、ガイドデータは、番組情報、ガイドアプリケーション設定、ユーザ選好、ユーザプロフィール情報、メディア一覧、メディア関連情報（例えば、放送時間、放送チャンネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、オンデマンド情報、ブログ、ウェブサイト、およびユーザが所望のコンテンツ選択間をナビゲートし、それを特定するために役立つ、任意の他のタイプのガイドデータを含んでもよい。
【００８９】
図７−８は、メディアガイドデータを提供するために使用され得る、例証的表示画面を示す。図７−８に示される表示画面は、任意の好適なユーザ機器デバイスまたはプラットフォーム上に実装されてもよい。図７−８の表示は、フル画面表示として図示されているが、それらはまた、表示されているコンテンツ上に完全または部分的にオーバーレイされてもよい。ユーザは、表示画面に提供された選択可能なオプション（例えば、メニューオプション、一覧オプション、アイコン、ハイパーリンク等）を選択することによって、もしくはリモートコントロールまたは他のユーザ入力インターフェースもしくはデバイス上の専用ボタン（例えば、「ガイド」ボタン）を押下することによって、コンテンツ情報へのアクセスの要望を指示してもよい。ユーザの指示に応答して、メディアガイドアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、または他の所定、ユーザ定義、もしくは他の編成基準等のいくつかの方法のうちの１つにおいて編成されたメディアガイド情報を伴う表示画面を提供してもよい。
【００９０】
図７は、単一表示内の異なるタイプのコンテンツへのアクセスも可能にする、時間およびチャンネル別に配列された番組一覧表示７００の例証的グリッドを示す。表示７００は、以下を伴うグリッド７０２を含んでもよい。（１）各チャンネル／コンテンツタイプ識別子（列内のセル）が利用可能な異なるチャンネルまたはコンテンツのタイプを識別する、チャンネル／コンテンツタイプ識別子７０４の列、および（２）各時間識別子（行内のセル）が番組の時間帯を識別する、時間識別子７０６の行。グリッド７０２はまた、番組一覧７０８等の番組一覧のセルも含み、各一覧は、一覧の関連チャンネルおよび時間の上に提供される、番組のタイトルを提供する。ユーザ入力デバイスを用いて、ユーザは、ハイライト領域７１０を移動させることによって番組一覧を選択することができる。ハイライト領域７１０によって選択される番組一覧に関する情報が、番組情報領域７１２内に提供されてもよい。領域７１２は、例えば、番組タイトル、番組内容、番組が提供される時間（該当する場合）、番組が放送されるチャンネル（該当する場合）、番組の評価、および他の所望の情報を含んでもよい。
【００９１】
線形番組（例えば、所定の時間に複数のユーザ機器デバイスに伝送されるようにスケジューリングされ、スケジューリングに従って提供される、コンテンツ）へのアクセスの提供に加え、メディアガイドアプリケーションはまた、非線形番組（例えば、任意の時間においてユーザ機器デバイスにアクセス可能であって、スケジューリングに従って提供されない、コンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶したコンテンツ（例えば、前述の任意のユーザ機器デバイスまたは他の記憶デバイス上に記憶されたコンテンツ）、または時間的制約のない他のコンテンツを含む、異なるコンテンツソースからのコンテンツを含んでもよい。オンデマンドコンテンツは、映画または特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  ＯＮ  ＤＥＭＡＮＤ）によって提供される任意の他のコンテンツを含んでもよい。ＨＢＯ  ＯＮ  ＤＥＭＡＮＤは、Ｔｉｍｅ  Ｗａｒｎｅｒ  Ｃｏｍｐａｎｙ  Ｌ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，  Ｉｎｃ．によって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００９２】
グリッド７０２は、オンデマンド一覧７１４、録画コンテンツ一覧７１６、およびインターネットコンテンツ一覧７１８を含む、非線形番組のメディアガイドデータを提供してもよい。異なるタイプのコンテンツソースからのコンテンツのためのメディアガイドデータを組み合わせる表示は、時として、「混合メディア」表示と称されることもある。表示７００とは異なる、表示され得るメディアガイドデータのタイプの種々の順列は、ユーザ選択またはガイドアプリケーション定義に基づいてもよい（例えば、録画および放送一覧のみの表示、オンデマンドおよび放送一覧のみの表示等）。例証されるように、一覧７１４、７１６、および７１８は、これらの一覧の選択が、それぞれ、オンデマンド一覧、録画一覧、またはインターネット一覧専用の表示へのアクセスを提供し得ることを示すように、グリッド７０２内に表示される時間帯全体に及ぶものとして示されている。いくつかの実施形態では、これらのコンテンツタイプの一覧は、グリッド７０２に直接含まれてもよい。ユーザがナビゲーションアイコン７２０のうちの１つを選択することに応答して、付加的メディアガイドデータが表示されてもよい（ユーザ入力デバイス上の矢印キーを押下することによって、ナビゲーションアイコン７２０を選択することと同様に表示に影響を及ぼしてもよい）。
【００９３】
表示７００はまた、ビデオ領域７２２およびオプション領域７２６を含んでもよい。ビデオ領域７２２は、ユーザが、現在利用可能である、今後利用可能となる、またはユーザに利用可能であった番組を視聴および／またはプレビューすることを可能にしてもよい。ビデオ領域７２２のコンテンツは、グリッド７０２に表示される一覧のうちの１つに対応するか、またはそれから独立してもよい。ビデオ領域を含むグリッド表示は、時として、ピクチャインガイド（ＰＩＧ）表示と称されることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体として参照することによって本明細書に組み込まれる。ＰＩＧ表示は、本明細書に説明される実施形態の他のメディアガイドアプリケーション表示画面に含まれてもよい。
【００９４】
オプション領域７２６は、ユーザが、異なるタイプのコンテンツ、メディアガイドアプリケーション表示、および／またはメディアガイドアプリケーション特徴にアクセスすることを可能にしてもよい。オプション領域７２６は、ディプレイ７００（および本明細書に説明される他の表示画面）の一部であってもよく、もしくは画面上のオプションを選択すること、またはユーザ入力デバイス上の専用または割当可能ボタンを押下することによって、ユーザによって呼び出されてもよい。オプション領域７２６内の選択可能オプションは、グリッド７０２内の番組一覧に関連する特徴に関してもよく、またはメインメニュー表示から利用可能なオプションを含んでもよい。番組一覧に関連する特徴は、他の放送時間または番組の受信方法の検索、番組の録画、番組の連続録画の有効化、番組および／またはチャンネルをお気に入りとして設定、番組の購入、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするためのオプション、プレミアムサービスを購読するためのオプション、ユーザのプロフィールを編集するためのオプション、ブラウザオーバーレイにアクセスするためのオプション、もしくは他のオプションを含んでもよい。
【００９５】
メディアガイドアプリケーションは、ユーザの選好に基づいて個人化されてもよい。個人化されたメディアガイドアプリケーションは、ユーザが、メディアガイドアプリケーションによって個人化された「体験」を生成するように、表示および特徴をカスタマイズすることを可能にする。この個人化された体験は、ユーザがこれらのカスタマイズを入力できるようにすることによって、および／または種々のユーザ選好を判定するようにメディアガイドアプリケーションがユーザ活動を監視することによって、生成されてもよい。ユーザは、ログインすることによって、または別様にガイドアプリケーションに対して自らを識別することによって、それらの個人化されたガイドアプリケーションにアクセスしてもよい。メディアガイドアプリケーションのカスタマイズは、ユーザプロフィールに従って作成されてもよい。カスタマイズは、提示方式（例えば、表示の色方式、テキストのフォントサイズ等）、表示されるコンテンツ一覧の態様（例えば、ＨＤＴＶ番組のみまたは３Ｄ番組のみ、お気に入りチャンネル選択に基づいたユーザ指定の放送チャンネル、チャンネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させるステップを含んでもよい。
【００９６】
メディアガイドアプリケーションは、ユーザが、ユーザプロフィール情報を提供することを可能にしてもよく、またはユーザプロフィール情報を自動的にコンパイルしてもよい。メディアガイドアプリケーションは、例えば、ユーザがアクセスするコンテンツ、および／またはユーザがガイドアプリケーションと行ってもよい他の相互作用を監視してもよい。加えて、メディアガイドアプリケーションは、特定のユーザに関連する他のユーザプロフィールの全体または一部を取得し（例えば、ｗｗｗ．ａｌｌｒｏｖｉ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／またはメディアガイドアプリケーションがアクセスし得る他のソースから、ユーザに関する情報を取得してもよい。結果として、ユーザの異なるユーザ機器デバイスにわたって、統一されたガイドアプリケーション体験をユーザに提供することができる。このタイプのユーザ体験は、図１０に関連して、以下でより詳細に説明される。付加的な個人化されたメディアガイドアプリケーション特徴は、２００５年７月１１日に出願されたＥｌｌｉｓらの米国特許出願第２００５／０２５１８２７号、２００７年１月１６日出願のＢｏｙｅｒらの米国特許第７，１６５，０９８号、および２００２年２月２１日に出願されたＥｌｌｉｓらの米国特許出願第２００２／０１７４４３０号でさらに詳細に説明されており、それらは全体として参照することによって本明細書に組み込まれる。
【００９７】
メディアガイドを提供するための別の表示配列が、図８に示されている。ビデオモザイク表示８００は、コンテンツのタイプ、ジャンル、および／または他の編成基準に基づいて編成されたコンテンツ情報のための選択可能オプション８０２を含む。表示８００では、テレビ一覧オプション８０４が、選択され、したがって、一覧８０６、８０８、８１０、および８１２を放送番組一覧として提供する。表示８００では、一覧は、カバーアート、コンテンツからの静止画像、ビデオクリップのプレビュー、コンテンツからのライブビデオ、または一覧中のメディアガイドデータによって記述されているコンテンツをユーザに示す他のタイプのコンテンツを含む、グラフィック画像を提供してもよい。グラフィック一覧のそれぞれはまた、一覧と関連付けられたコンテンツに関するさらなる情報を提供するように、テキストを伴ってもよい。例えば、一覧８０８は、メディア部分８１４およびテキスト部分８１６を含む、１つより多くの部分を含んでもよい。メディア部分８１４および／またはテキスト部分８１６は、コンテンツをフル画面で視聴するように、またはメディア部分８１４に表示されるコンテンツに関連する情報を閲覧するように（例えば、ビデオが表示されるチャンネルの一覧を閲覧するように）、選択可能であってもよい。
【００９８】
表示８００中の一覧は、異なるサイズである（すなわち、一覧８０６は、一覧８０８、８１０、および８１２より大きい）が、所望の場合、全一覧が同一のサイズであってもよい。一覧は、コンテンツプロバイダの所望に応じて、またはユーザ選好に基づいて、ユーザに関心の程度を示すように、または、あるコンテンツを強調するように、異なるサイズであるか、またはグラフィックが強調されてもよい。コンテンツ一覧をグラフィック的に強調するための種々のシステムおよび方法は、例えば、全体として参照することによって本明細書に組み込まれる、２００９年１１月１２日に出願されたＹａｔｅｓの米国特許出願公開第２０１０／０１５３８８５号に議論されている。
【００９９】
ユーザは、そのユーザ機器デバイスのうちの１つまたはそれを上回るものから、コンテンツおよびメディアガイドアプリケーション（ならびに前述および後述で説明されるその表示画面）にアクセスしてもよい。図９は、例証的ユーザ機器デバイス９００の一般化された実施形態を示す。ユーザ機器デバイスのより具体的な実装は、図１０に関連して以下に議論される。ユーザ機器デバイス９００は、入出力（以下「Ｉ／Ｏ」）パス９０２を介して、コンテンツおよびデータを受信してもよい。Ｉ／Ｏパス９０２は、処理回路９０６および記憶装置９０８を含む制御回路９０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路９０４は、Ｉ／Ｏパス９０２を使用して、コマンド、要求、および他の好適なデータを送受信するために使用されてもよい。Ｉ／Ｏパス９０２は、制御回路９０４（具体的には、処理回路９０６）を１つまたはそれを上回る通信パス（以下で説明される）に接続してもよい。Ｉ／Ｏ機能は、これらの通信パスのうちの１つまたはそれを上回るものによって提供されてもよいが、図面が複雑になり過ぎることを回避するため、図９では単一パスとして示されている。
【０１００】
制御回路９０４は、処理回路９０６等の任意の好適な処理回路に基づいてもよい。本明細書で参照されるように、処理回路とは、１つまたはそれを上回るマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路９０４は、メモリ（すなわち、記憶９０８）に記憶されるメディアガイドアプリケーションのための命令を実行する。具体的には、制御回路９０４は、メディアガイドアプリケーションによって、前述および後述の機能を行うように命令されてもよい。例えば、メディアガイドアプリケーションは、制御回路９０４に、メディアガイド表示を生成するための命令を提供してもよい。いくつかの実装では、制御回路９０４によって行われるいかなるアクションも、メディアガイドアプリケーションから受信した命令に基づいてもよい。
【０１０１】
クライアントサーバに基づく実施形態では、制御回路９０４は、ガイドアプリケーションサーバもしくは他のネットワークまたはサーバと通信するための好適な通信回路を含んでもよい。前述の機能性を実施するための命令は、ガイドアプリケーションサーバ上に記憶されてもよい。通信回路は、ケーブルモデム、総合デジタル通信網（ＩＳＤＮ）モデム、デジタル加入者回線（ＤＳＬ）モデム、電話モデム、イーサネット（登録商標）カード、または他の機器との通信用無線モデム、または任意の他の好適な通信回路を含んでもよい。そのような通信は、インターネットもしくは任意の他の好適な通信ネットワークまたはパスを伴ってもよい（図１０に関連してさらに詳細に説明される）。加えて、通信回路は、ユーザ機器デバイスのピアツーピア通信、または相互から遠隔の場所にあるユーザ機器デバイスの通信を可能にする回路を含んでもよい（以下でさらに詳細に説明される）。
【０１０２】
メモリは、制御回路９０４の一部である、記憶装置９０８として提供される、電子記憶デバイスであってもよい。本明細書で参照されるように、語句「電子記憶デバイス」または「記憶デバイス」とは、ランダム−アクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）３Ｄディスクレコーダ、デジタルビデオレコーダ（ＤＶＲ、時として、パーソナルビデオレコーダまたはＰＶＲと呼ばれる場合もある）、固体デバイス、量子記憶デバイス、ゲームコンソール、ゲームメディア、もしくは任意の他の好適な固定またはリムーバブル記憶デバイス、および／または任意のそれらの組み合わせ等の電子データ、コンピュータソフトウェア、またはファームウェアを記憶するための任意のデバイスを意味すると理解されたい。記憶装置９０８は、本明細書に説明される種々のタイプのコンテンツ、ならびに前述のメディアガイドデータを記憶するために使用されてもよい。不揮発性メモリもまた、使用されてもよい（例えば、ブートアップルーチンや他の命令を起動するために）。図１０に関連して説明される、クラウドベースの記憶が、記憶装置９０８を補完するために使用されてもよい、または記憶装置９０８の代わりに使用されてもよい。
【０１０３】
制御回路９０４は、１つまたはそれを上回るアナログチューナ、１つまたはそれを上回るＭＰＥＧ−２デコーダ、または他のデジタル復号回路、高解像度チューナ、または任意の他の好適な同調もしくはビデオ回路、もしくはそのような回路の組み合わせ等のビデオ生成回路および同調回路を含んでもよい。符号化回路（例えば、記憶のために、無線、アナログ、またはデジタル信号をＭＰＥＧ信号に変換するためのもの）もまた、提供されてもよい。制御回路９０４はまた、コンテンツをユーザ機器９００の好ましい出力形式に上方変換および下方変換するためのスケーラ回路を含んでもよい。回路９０４はまた、デジタル信号およびアナログ信号間で変換するためのデジタルからアナログへの変換回路ならびにアナログからデジタルへの変換回路を含んでもよい。同調および符号化回路は、コンテンツを受信して表示する、再生する、または録画するために、ユーザ機器デバイスによって使用されてもよい。同調および符号化回路はまた、ガイドデータを受信するために使用されてもよい。例えば、同調、ビデオ生成、符号化、復号、暗号化、解読、スケーラ、およびアナログ／デジタル回路を含む、本明細書に説明される回路は、１つまたはそれを上回る汎用または特殊プロセッサ上で起動するソフトウェアを使用して実装されてもよい。複数のチューナが、同時同調機能に対処するように提供されてもよい（例えば、視聴および録画機能、ピクチャインピクチャ（ＰＩＰ）機能、多重チューナ録画機能等）。記憶装置９０８が、ユーザ機器９００とは別のデバイスとして提供される場合、同調および符号化回路（複数のチューナを含む）は、記憶装置９０８と関連付けられてもよい。
【０１０４】
ユーザは、ユーザ入力インターフェース９１０を使用して、命令を制御回路９０４に送信してもよい。ユーザ入力インターフェース９１０は、リモートコントロール、マウス、トラックボール、キーパッド、キーボード、タッチ画面、タッチパッド、スタイラス入力、ジョイスティック、音声認識インターフェース、または他のユーザ入力インターフェース等、任意の好適なユーザインターフェースであってもよい。ディスプレイ９１２は、独立型デバイスとして提供されるか、またはユーザ機器デバイス９００の他の要素と統合してもよい。例えば、ディスプレイ９１２は、タッチスクリーンまたはタッチセンサ式表示であってもよい。そのような状況では、ユーザ入力インターフェース９１０は、ディスプレイ９１２と統合される、または組み合わせられてもよい。ディスプレイ９１２は、モニタ、テレビ、モバイルデバイスのための液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマディスプレイパネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つまたはそれを上回るものであってもよい。いくつかの実施形態では、ディスプレイ９１２は、ＨＤＴＶ対応型であってもよい。いくつかの実施形態では、ディスプレイ９１２は、３Ｄディスプレイであってもよく、双方向メディアガイドアプリケーションおよび任意の好適なコンテンツは、３Ｄで表示されてもよい。ビデオカードまたはグラフィックカードは、出力をディスプレイ９１２に生成してもよい。ビデオカードは、３Ｄシーンおよび２Ｄグラフィックのレンダリング加速、ＭＰＥＧ−２／ＭＰＥＧ−４復号、ＴＶ出力、または複数のモニタを接続する能力等の種々の機能をもたらしてもよい。ビデオカードは、制御回路９０４に関連する前述の任意の処理回路であってもよい。ビデオカードは、制御回路９０４と統合されてもよい。スピーカ９１４は、ユーザ機器デバイス９００の他の要素との統合として提供されてもよく、または独立型ユニットであってもよい。ディスプレイ９１２上に表示されるビデオおよび他のコンテンツのオーディオコンポーネントは、スピーカ９１４を通して再生されてもよい。いくつかの実施形態では、音声は、スピーカ９１４を介して音声を処理および出力する、受信機（図示せず）に配信されてもよい。
【０１０５】
ガイドアプリケーションは、任意の好適なアーキテクチャを使用して実装されてもよい。例えば、それは、ユーザ機器デバイス９００上で完全に実装される、独立型アプリケーションであってもよい。そのようなアプローチでは、アプリケーションの命令は、ローカルに記憶され（例えば、記憶装置９０８内）、アプリケーションによって使用するためのデータは、周期的にダウンロードされる（例えば、帯域外フィードから、インターネットリソースから、または別の好適なアプローチを使用して）。制御回路９０４は、記憶装置９０８からアプリケーションの命令を読み出し、本明細書に議論される表示のいずれかを生成するための命令を処理してもよい。処理された命令に基づいて、制御回路９０４は、入力が入力インターフェース９１０から受信されるときに行うアクションを判定してもよい。例えば、表示上のカーソルの上／下への移動は、入力インターフェース９１０が上／下ボタンが選択されたことを示すとき、処理された命令によって示されてもよい。
【０１０６】
いくつかの実施形態では、メディアガイドアプリケーションは、クライアントサーバベースのアプリケーションである。ユーザ機器デバイス９００上に実装される、シックまたはシンクライアントによって使用するためのデータは、ユーザ機器デバイス９００の遠隔にあるサーバに要求を発行することによって、オンデマンドで読み出される。クライアントサーバベースのガイドアプリケーションの一実施例では、制御回路９０４は、遠隔サーバによって提供されるウェブページを解釈する、ウェブブラウザを実行する。例えば、遠隔サーバは、記憶デバイス内にアプリケーションのための命令を記憶してもよい。遠隔サーバは、回路（例えば、制御回路９０４）を使用して、記憶された命令を処理し、前述および後述の表示を生成してもよい。クライアントデバイスは、遠隔サーバによって生成される表示を受信してもよく、表示のコンテンツを機器デバイス９００上でローカルに表示してもよい。このように、命令の処理は、サーバによって遠隔で行われる一方、結果として生じる表示は、機器デバイス９００上にローカルに提供される。機器デバイス９００は、入力インターフェース９１０を介して、ユーザからの入力を受信し、対応する表示を処理および生成するために、それらの入力を遠隔サーバに伝送してもよい。例えば、機器デバイス９００は、上／下ボタンが入力インターフェース９１０を介して選択されたことを示す通信を遠隔サーバに伝送してもよい。遠隔サーバは、その入力に従って命令を処理し、入力に対応するアプリケーションの表示を生成してもよい（例えば、カーソルを上／下に移動させる表示）。生成された表示は、次いで、ユーザへの提示のために、機器デバイス９００に伝送される。
【０１０７】
いくつかの実施形態では、メディアガイドアプリケーションは、インタープリタまたは仮想マシン（制御回路９０４によって起動される）によって、ダウンロードされ、解釈または別様に起動される。いくつかの実施形態では、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）で符号化され、好適なフィードの一部として制御回路９０４によって受信され、制御回路９０４上で起動するユーザエージェントによって解釈されてもよい。例えば、ガイドアプリケーションは、ＥＢＩＦアプリケーションであってもよい。いくつかの実施形態では、ガイドアプリケーションは、制御回路９０４によって実行されるローカル仮想マシンまたは他の好適なミドルウェアによって受信および起動される、一連のＪＡＶＡ（登録商標）ベースのファイルによって定義されてもよい。そのような実施形態のうちのいくつか（例えば、ＭＰＥＧ−２または他のデジタルメディア符号化スキームを採用するもの）では、ガイドアプリケーションは、例えば、番組のＭＰＥＧオーディオおよびビデオパケットを用いたＭＰＥＧ−２オブジェクトカルーセルにおいて符号化および伝送されてもよい。
【０１０８】
図９のユーザ機器デバイス９００は、ユーザテレビ機器１００２、ユーザコンピュータ機器１００４、無線ユーザ通信デバイス１００６、または非携帯型ゲーム機等のコンテンツにアクセスするために好適な任意の他のタイプのユーザ機器として、図１０のシステム１０００に実装することができる。簡単にするために、これらのデバイスは、本明細書では総称して、ユーザ機器またはユーザ機器デバイスと称されてもよく、前述のユーザ機器デバイスに実質的に類似してもよい。メディアガイドアプリケーションが実装され得る、ユーザ機器デバイスは、独立型デバイスとして機能してもよく、またはデバイスのネットワークの一部であってもよい。いくつかの実施形態では、メディアガイドアプリケーションは、複数のユーザデバイスによって同時に実行されてもよい。デバイスの種々のネットワーク構成が実装されてもよく、以下でさらに詳細に議論される。
【０１０９】
図９に関連して前述のシステム特徴のうちの少なくともいくつかを利用する、ユーザ機器デバイスは、単に、ユーザテレビ機器１００２、ユーザコンピュータ機器１００４、または無線ユーザ通信デバイス１００６として分類されなくてもよい。例えば、ユーザテレビ機器１００２は、いくつかのユーザコンピュータ機器１００４のように、インターネットコンテンツへアクセスすることを可能にするインターネット対応型であってもよい一方で、ユーザコンピュータ機器１００４は、いくつかのテレビ機器１００２のように、テレビ番組へアクセスすることを可能にするチューナを含んでもよい。メディアガイドアプリケーションはまた、種々の異なるタイプのユーザ機器上で同一レイアウトを有してもよく、またはユーザ機器の表示能力に合わせられてもよい。例えば、ユーザコンピュータ機器１００４上では、ガイドアプリケーションは、ウェブブラウザによってアクセスされるウェブサイトとして提供されてもよい。別の実施例では、ガイドアプリケーションは、無線ユーザ通信デバイス１００６用に縮小されてもよい。
【０１１０】
システム１０００では、典型的には、各タイプのユーザ機器デバイスが１つを上回って存在するが、図面が複雑になり過ぎることを回避するように、それぞれ１つだけが図１０に示されている。加えて、各ユーザは、１つを上回るタイプのユーザ機器デバイスと、また、各タイプのユーザ機器デバイスのうちの１つを上回るものとを利用してもよい。
【０１１１】
いくつかの実施形態では、ユーザ機器デバイス（例えば、ユーザテレビ機器１００２、ユーザコンピュータ機器１００４、無線ユーザ通信デバイス１００６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する、任意の好適なコンテンツであってもよい。いくつかの実施形態では、第２の画面デバイスは、第１のデバイスの設定および表示選好を調節するためのインターフェースを提供する。いくつかの実施形態では、第２の画面デバイスは、他の第２の画面デバイスと相互作用する、またはソーシャルネットワークと相互作用するために構成される。第２の画面デバイスは、第１のデバイスと同一の部屋内に、第１のデバイスと異なる部屋であるが同一の家または建物内に、もしくは第１のデバイスと異なる建物内に位置することができる。
【０１１２】
ユーザはまた、家庭内デバイスおよび遠隔デバイスにわたって一貫したメディアガイドアプリケーション設定を維持するように、種々の設定を設定してもよい。設定は、本明細書に説明される設定、ならびにお気に入りのチャンネルおよび番組、番組を推奨するためにガイドアプリケーションが利用する番組選好、表示選好、および他の望ましいガイド設定を含む。例えば、ユーザが、オフィスのパソコンで、例えば、ウェブサイトｗｗｗ．ａｌｌｒｏｖｉ．ｃｏｍの上で、チャンネルをお気に入りとして設定した場合、所望に応じて、同一のチャンネルが、ユーザの家庭内デバイス（例えば、ユーザテレビ機器およびユーザコンピュータ機器）、ならびにユーザのモバイルデバイス上でお気に入りとして表示されるであろう。したがって、同一または異なるタイプのユーザ機器デバイスのいずれであるかにかかわらず、１つのユーザ機器デバイス上で行われる変更は、別のユーザ機器デバイス上のガイド体験を変更することができる。加えて、行われる変更は、ユーザによる設定入力、ならびにガイドアプリケーションによって監視されるユーザ活動に基づいてもよい。
【０１１３】
ユーザ機器デバイスは、通信ネットワーク１０１４に連結されてもよい。すなわち、ユーザテレビ機器１００２、ユーザコンピュータ機器１００４、および無線ユーザ通信デバイス１００６は、それぞれ、通信パス１００８、１０１０、および１０１２を介して、通信ネットワーク１０１４に連結される。通信ネットワーク１０１４は、インターネット、携帯電話ネットワーク、モバイルボイスまたはデータネットワーク（例えば、４ＧまたはＬＴＥネットワーク）、ケーブルネットワーク、公衆交換電話ネットワーク、または他のタイプの通信ネットワーク、もしくは通信ネットワークの組み合わせを含む、１つまたはそれを上回るネットワークであってもよい。パス１００８、１０１０、および１０１２は、別個または一緒に、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等、１つまたはそれを上回る通信パスを含んでもよい。パス１０１２は、図１０に示された例示的実施形態において、無線パスであることを示すように破線で描かれ、パス１００８および１０１０は、有線パスであることを示すように実線で描かれている（しかし、これらのパスは、所望に応じて、無線パスであってもよい）。ユーザ機器デバイスとの通信は、これらの通信パスのうちの１つまたはそれを上回るものによって提供されてもよいが、図１０では、図面が複雑になり過ぎることを回避するように、単一パスとして示されている。
【０１１４】
通信パスは、ユーザ機器デバイスの間には描かれていないが、これらのデバイスは、パス１００８、１０１０、および１０１２に関連して上記で説明されるもの、ならびにＵＳＢケーブル、ＩＥＥＥ１３９４ケーブル、無線パス（例えば、Ｂｌｕｅｔｏｏｔｈ（登録商標）、赤外線、ＩＥＥＥ８０２−１１ｘ等）等の他の短距離ポイントツーポイント通信パス、もしくは有線または無線パスを介した他の短距離通信等の通信パス等の通信パスを介して、相互に直接通信してもよい。ＢＬＵＥＴＯＯＴＨ（登録商標）は、Ｂｌｕｅｔｏｏｔｈ  ＳＩＧ，  ＩＮＣ．によって所有される認証マークである。ユーザ機器デバイスはまた、通信ネットワーク１０１４を介した間接的パスを通して、直接相互に通信してもよい。
【０１１５】
システム１０００は、それぞれ、通信パス１０２０および１０２２を介して通信ネットワーク１０１４に連結される、コンテンツソース１０１６およびメディアガイドデータソース１０１８を含む。パス１０２０および１０２２は、パス１００８、１０１０、および１０１２に関して上記で説明される通信パスのうちのいずれかを含んでもよい。コンテンツソース１０１６およびメディアガイドデータソース１０１８との通信は、１つまたはそれを上回る通信パスを介して交信されてもよいが、図１０では、図面が複雑になり過ぎることを回避するように、単一パスとして示されている。加えて、コンテンツソース１０１６およびメディアガイドデータソース１０１８のそれぞれが１つを上回ってあってもよいが、図１０では、図面が複雑になり過ぎることを回避するように、それぞれ１つだけが示されている。（これらのソースのそれぞれの異なるタイプを以下に議論する）。所望に応じて、コンテンツソース１０１６およびメディアガイドデータソース１０１８は、１つのソースデバイスとして統合されてもよい。ソース１０１６および１０１８と、ユーザ機器デバイス１００２、１００４、および１００６との間の通信は、通信ネットワーク１０１４を通したものとして示されているが、いくつかの実施形態では、ソース１０１６および１０１８は、パス１００８、１０１０、および１０１２に関連して上記で説明されるもの等の通信パス（図示せず）を介して、ユーザ機器デバイス１００２、１００４、および１００６と直接通信してもよい。
【０１１６】
コンテンツソース１０１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む、１つまたはそれを上回るタイプのコンテンツ配信機器を含んでもよい。ＮＢＣは、Ｎａｔｉｏｎａｌ  Ｂｒｏａｄｃａｓｔｉｎｇ  Ｃｏｍｐａｎｙ，  Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，  ＩＮＣ．によって所有される商標であり、ＨＢＯは、Ｈｏｍｅ  Ｂｏｘ  Ｏｆｆｉｃｅ，  Ｉｎｃ．によって所有される商標である。コンテンツソース１０１６は、コンテンツの発信元であってもよく（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース１０１６は、ケーブルソース、衛星プロバイダ、オンデマンドプロバイダ、インターネットプロバイダ、オーバーザトップコンテンツプロバイダ、または他のコンテンツのプロバイダを含んでもよい。コンテンツソース１０１６はまた、ユーザ機器デバイスのうちのいずれかから遠隔の場所にある、異なるタイプのコンテンツ（ユーザによって選択されるビデオコンテンツを含む）を記憶するために使用される、遠隔メディアサーバを含んでもよい。コンテンツの遠隔記憶のため、および遠隔に記憶されたコンテンツをユーザ機器に提供するためのシステムおよび方法は、全体として参照することによって本明細書に組み込まれる、２０１０年７月２０日に出願されたＥｌｌｉｓらの米国特許第７，７６１，８９２号に関連して、さらに詳細に議論されている。
【０１１７】
メディアガイドデータソース１０１８は、前述のメディアガイドデータ等のメディアガイドデータを提供してもよい。メディアガイドデータは、任意の好適なアプローチを使用して、ユーザ機器デバイスに提供されてもよい。いくつかの実施形態では、ガイドアプリケーションは、データフィード（例えば、継続フィードまたはトリクルフィード）を介して、番組ガイドデータを受信する、独立型双方向テレビ番組ガイドであってもよい。番組スケジューリングデータおよび他のガイドデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジューリングデータおよび他のメディアガイドデータは、複数のアナログまたはデジタルテレビチャンネル上でユーザ機器に提供されてもよい。
【０１１８】
いくつかの実施形態では、メディアガイドデータソース１０１８からのガイドデータは、クライアントサーバアプローチを使用して、ユーザの機器に提供されてもよい。例えば、ユーザ機器デバイスは、メディアガイドデータをサーバからプルしてもよく、またはサーバは、メディアガイドデータをユーザ機器デバイスにプッシュしてもよい。いくつかの実施形態では、ユーザの機器上に常駐するガイドアプリケーションクライアントは、必要に応じて、例えば、ガイドデータが、古くなっているとき、またはユーザ機器デバイスが、データを受信する要求をユーザから受信するとき、ソース１０１８とセッションを開始し、ガイドデータを取得してもよい。メディアガイドは、任意の好適な頻度で（例えば、継続的に、毎日、ユーザ指定期間で、システム指定期間で、ユーザ機器からの要求に応答して等）ユーザ機器に提供されてもよい。メディアガイドデータソース１０１８は、ユーザ機器デバイス１００２、１００４、および１００６に、メディアガイドアプリケーション自体、またはメディアガイドアプリケーションのソフトウェア更新を提供してもよい。
【０１１９】
いくつかの実施形態では、メディアガイドデータは、視聴者データを含んでもよい。例えば、視聴者データは、現在および／または履歴ユーザアクティビティ情報（例えば、ユーザが典型的に見るコンテンツ、ユーザがコンテンツを見る時刻、ユーザがソーシャルネットワークと相互作用するかどうか、ユーザがソーシャルネットワークと相互作用し、情報をポストする時間、ユーザが典型的に見るコンテンツのタイプ（例えば、有料ＴＶまたは無料ＴＶ）、気分、脳の活動情報等）を含んでもよい。メディアガイドデータはまた、加入データを含んでもよい。例えば、加入データは、所与のユーザが加入するソースまたはサービスおよび／または所与のユーザが以前に加入していたが、後にアクセスを打ち切ったソースまたはサービスを識別してもよい（例えば、ユーザがプレミアムチャネルに加入しているかどうか、ユーザがプレミアムレベルのサービスを追加したかどうか、ユーザがインターネット速度を加速させたかどうか）。いくつかの実施形態では、視聴者データおよび／または加入データは、１年を上回る期間の間の所与のユーザのパターンを識別してもよい。メディアガイドデータは、所与のユーザがサービス／ソースへのアクセスを打ち切るであろう可能性を示すスコアを生成するために使用される、モデル（例えば、残存者モデル）を含んでもよい。例えば、メディアガイドアプリケーションは、加入データと、所与のユーザが特定のサービスまたはソースへのアクセスを打ち切るであろうかどうかの可能性を示す、値またはスコアを生成するためのモデルを併用して、視聴者データを処理してもよい。特に、より高いスコアは、ユーザが特定のサービスまたはソースへのアクセスを打ち切るであろう、より高いレベルの信頼性を示し得る。スコアに基づいて、メディアガイドアプリケーションは、ユーザがアクセスを打ち切る可能性が高いであろうものとしてスコアによって示される特定のサービスまたはソースをユーザが維持するように勧誘する宣伝を生成してもよい。
【０１２０】
メディアガイドアプリケーションは、例えば、ユーザ機器デバイス上に実装される独立型アプリケーションであってもよい。例えば、メディアガイドアプリケーションは、記憶装置９０８内に記憶され得、ユーザ機器デバイス９００の制御回路９０４によって実行され得る、ソフトウェアまたは実行可能命令のセットとして実装されてもよい。いくつかの実施形態では、メディアガイドアプリケーションは、クライアント−サーバアプリケーションであってもよく、その場合、クライアントアプリケーションのみ、ユーザ機器デバイス上に常駐し、サーバアプリケーションは、遠隔サーバ上に常駐する。例えば、メディアガイドアプリケーションは、部分的に、ユーザ機器デバイス９００の制御回路１００４上のクライアントアプリケーションとして、および部分的に遠隔サーバ上で、遠隔サーバの制御回路上で起動するサーバアプリケーションとして（例えば、メディアガイドデータソース１０１８）、実装されてもよい。遠隔サーバの制御回路（メディアガイドデータソース１０１８等）によって実行されると、メディアガイドアプリケーションは、制御回路に、ガイドアプリケーション表示を生成し、生成された表示をユーザ機器デバイスに伝送するように命令してもよい。サーバアプリケーションは、メディアガイドデータソース１０１８の制御回路に、ユーザ機器上での記憶のためのデータを伝送するように命令してもよい。クライアントアプリケーションは、受信用ユーザ機器の制御回路に、ガイドアプリケーション表示を生成するように命令してもよい。
【０１２１】
ユーザ機器デバイス１００２、１００４、および１００６に配信されるコンテンツならびに／またはメディアガイドデータは、オーバーザトップ（ＯＴＴ）コンテンツであってもよい。ＯＴＴコンテンツ配信は、前述の任意のユーザ機器デバイスを含む、インターネット対応型ユーザデバイスが、ケーブルまたは衛星接続を経由して受信されるコンテンツに加え、前述の任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に関与していなくてもよく、ＯＴＴコンテンツプロバイダによって提供されるＩＰパケットを転送するのみでもよい。ＯＴＴコンテンツプロバイダの実施例として、ＩＰパケットを介して、オーディオおよびビデオを提供する、ＹＯＵＴＵＢＥ（登録商標）、ＮＥＴＦＬＩＸ、およびＨＵＬＵが挙げられる。Ｙｏｕｔｕｂｅ（登録商標）は、Ｇｏｏｇｌｅ  Ｉｎｃ．によって所有される商標であり、Ｎｅｔｆｌｉｘは、Ｎｅｔｆｌｉｘ，  Ｉｎｃ．によって所有される商標であり、Ｈｕｌｕは、Ｈｕｌｕ，  ＬＬＣ．によって所有される商標である。ＯＴＴコンテンツプロバイダは、加えて、または代替として、前述のメディアガイドデータを提供してもよい。コンテンツおよび／またはメディアガイドデータに加え、ＯＴＴコンテンツのプロバイダは、メディアガイドアプリケーション（例えば、ウェブベースのアプリケーションまたはクラウドベースのアプリケーション）を配信することができ、またはコンテンツは、ユーザ機器デバイス上に記憶されるメディアガイドアプリケーションによって表示されることができる。
【０１２２】
メディアガイドシステム１０００は、いくつかのアプローチまたはネットワーク構成を例証することを意図しており、これによって、ユーザ機器デバイスならびにコンテンツおよびガイドデータのソースは、コンテンツにアクセスし、メディアガイドを提供する目的で、相互に通信してもよい。本明細書に説明される実施形態は、これらのアプローチの任意の１つまたは一部において、もしくはコンテンツを配信し、メディアガイドを提供するための他のアプローチを採用するシステムにおいて、適用されてもよい。以下の４つのアプローチは、図１０の一般化された実施例の具体的例証を提供する。
【０１２３】
あるアプローチでは、ユーザ機器デバイスは、ホームネットワーク内で相互に通信してもよい。ユーザ機器デバイスは、上記で説明される短距離ポイントツーポイント通信方式を介して、ホームネットワーク上に提供されるハブまたは他の類似デバイスを通した間接パスを介して、もしくは通信ネットワーク１０１４を介して、直接相互に通信することができる。１つの家庭内の複数の個人のそれぞれが、ホームネットワーク上の異なるユーザ機器デバイスを操作してもよい。結果として、種々のメディアガイド情報または設定が、異なるユーザ機器デバイス間で伝達されることが望ましくあり得る。例えば、２００５年７月１１日に出願されたＥｌｌｉｓらの米国特許公開第２００５／０２５１８２７号でさらに詳細に説明されているように、ホームネットワーク内の異なるユーザ機器デバイス上で、ユーザが一貫したメディアガイドアプリケーション設定を維持することが望ましくあり得る。ホームネットワーク内の異なるタイプのユーザ機器デバイスがまた、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【０１２４】
第２のアプローチでは、ユーザは、複数のタイプのユーザ機器を有してもよく、これによって、コンテンツにアクセスし、メディアガイドを取得する。例えば、一部のユーザは、家庭内およびモバイルデバイスによってアクセスされる、ホームネットワークを有してもよい。ユーザは、遠隔デバイス上に実装されるメディアガイドアプリケーションを介して、家庭内デバイスを制御してもよい。例えば、ユーザは、オフィスのパーソナルコンピュータ、もしくはＰＤＡまたはウェブ対応携帯電話等のモバイルデバイスを介して、ウェブサイト上のオンラインメディアガイドアプリケーションにアクセスしてもよい。ユーザは、オンラインガイドアプリケーション上で種々の設定（例えば、録画、リマインダ、または他の設定）を設定して、ユーザの家庭内機器を制御してもよい。オンラインガイドは、直接、またはユーザの家庭内機器上のメディアガイドアプリケーションと通信することによって、ユーザの機器を制御してもよい。ユーザ機器デバイスが相互から遠隔の場所にある、ユーザ機器デバイスの通信のための種々のシステムおよび方法は、例えば、その全体を参照することによって本明細書に組み込まれる、Ｅｌｌｉｓらの２０１１年１０月２５日発行の米国特許第８，０４６，８０１号に議論されている。
【０１２５】
第３のアプローチでは、家庭内外のユーザ機器デバイスのユーザは、コンテンツソース１０１６と直接通信し、コンテンツにアクセスするために、そのメディアガイドアプリケーションを使用することができる。具体的には、家庭内では、ユーザテレビ機器１００２およびユーザコンピュータ機器１００４のユーザは、メディアガイドアプリケーションにアクセスし、所望のコンテンツ間をナビゲートし、それを特定してもよい。ユーザはまた、無線ユーザ通信デバイス１００６を使用して、家庭外のメディアガイドアプリケーションにアクセスし、所望のコンテンツ間をナビゲートし、それを特定してもよい。
【０１２６】
第４のアプローチでは、ユーザ機器デバイスは、クラウドコンピューティング環境内で操作し、クラウドサービスにアクセスしてもよい。クラウドコンピューティング環境では、コンテンツ共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、ネットワークを介して接続される、種々のタイプのユーザおよびデバイスにクラウドベースのサービス、例えば、通信ネットワーク１０１４を介したインターネットを提供する、中央または分散場所に位置し得る、サーバコンピューティングデバイスの集合を含むことができる。これらのクラウドリソースは、１つまたはそれを上回るコンテンツソース１０１６および１つまたはそれを上回るメディアガイドデータソース１０１８を含んでもよい。加えて、または代替として、遠隔コンピューティングサイトは、ユーザテレビ機器１００２、ユーザコンピュータ機器１００４、および無線ユーザ通信デバイス１００６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中心サーバと通信せずに、ピアツーピア様式で操作してもよい。
【０１２７】
クラウドは、ユーザ機器デバイスのために、他の実施例の中でもとりわけ、コンテンツ記憶、コンテンツ共有、またはソーシャルネットワーキングサービス等のサービスへのアクセス、ならびに前述の任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上の他者によって視聴するために配信される。これらのクラウドベースのサービスは、ユーザ機器デバイスが、コンテンツをローカルに記憶し、ローカルに記憶されたコンテンツにアクセスするのではなく、コンテンツをクラウドに記憶し、コンテンツをクラウドから受信することを可能にしてもよい。
【０１２８】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画してもよい。ユーザは、直接、例えば、ユーザコンピュータ機器１００４から、またはコンテンツ捕捉特徴を有する、無線ユーザ通信デバイス１００６からのいずれかにおいて、クラウド上のコンテンツ記憶サービスにコンテンツをアップロードすることができる。代替として、ユーザは、最初に、コンテンツをユーザコンピュータ機器１００４等のユーザ機器デバイスに転送することができる。コンテンツを記憶するユーザ機器デバイスは、通信ネットワーク１０１４上のデータ伝送サービスを使用して、コンテンツをクラウドにアップロードしてもよい。いくつかの実施形態では、ユーザ機器デバイス自体が、クラウドリソースであり、他のユーザ機器デバイスが、直接、ユーザがコンテンツを記憶したユーザ機器デバイスから、コンテンツにアクセスすることができる。
【０１２９】
クラウドリソースは、例えば、ウェブブラウザ、メディアガイドアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のために、クラウドコンピューティングに依拠する、クラウドクライアントであってもよく、またはユーザ機器デバイスは、クラウドリソースにアクセスせずに、いくつかの機能性を有してもよい。例えば、ユーザ機器デバイス上で起動するいくつかのアプリケーションは、クラウドアプリケーション、すなわち、インターネットを経由して、サービスとして配信されるアプリケーションであってもよい一方、他のアプリケーションは、ユーザ機器デバイス上に記憶され、起動されてもよい。いくつかの実施形態では、ユーザデバイスは、コンテンツを複数のクラウドリソースから同時に受信してもよい。例えば、ユーザデバイスは、オーディオを１つのクラウドリソースからストリーミングする一方、コンテンツを第２のクラウドリソースからダウンロードすることができる。または、ユーザデバイスは、より効率的ダウンロードのために、コンテンツを複数のクラウドリソースからダウンロードすることができる。いくつかの実施形態では、ユーザ機器デバイスは、図９に関連して説明される処理回路によって行われる処理操作等の処理操作のために、クラウドリソースを使用することができる。
【０１３０】
本明細書で参照されるように、用語「〜に応答して」は、「〜の結果として開始される」ことを指す。例えば、第２のアクションに応答して行われている第１のアクションは、第１のアクションと第２のアクションとの間に介在ステップを含んでもよい。本明細書で参照されるように、用語「〜に直接応答して」は、「〜によって生じること」を指す。例えば、第２のアクションに直接応答して行われている第１のアクションは、第１のアクションと第２のアクションとの間に介在ステップを含まなくてもよい。
【０１３１】
図１１は、本開示のいくつかの実施形態による、ユーザがブロックされているメディアアセットにアクセスすることを可能にするための例証的ステップのフロー図である。プロセス１１００は、別のユーザが、ブロックされているメディアにアクセスするための要求に応答して、第１のユーザがブロックされているメディアにアクセスすることを許可しているかどうかを判定するために使用されてもよい。用語「別のユーザ」は、本明細書では、第１のユーザによるブロックされているメディアのアクセスを承認するための権限を伴う任意のユーザを指すために使用されるであろう。例えば、２人の両親および祖父母が、子供のアカウントに対してアクセスを承認するための権限を有するように指定されてもよい。これら３つは全て、本願に説明されるように、「別のユーザ」の部類に入り、一度述べられると、「他のユーザ」となるであろう。プロセス１１００またはその任意のステップは、図９−１０に示されるデバイスのいずれか上で生じる、またはそれによって提供され得ることに留意されたい。例えば、プロセス１１００は、制御回路９０４によって、メディアガイドアプリケーション（例えば、図１０に図示および説明されるデバイスのいずれか上に実装される）によって命令されるように実行されてもよい。
【０１３２】
プロセス１１００は、１１０２から開始し、そこで、メディアガイドアプリケーションは、第１のユーザ機器デバイス（例えば、図１０に図示および説明されるユーザ機器のいずれか）から、第１のユーザと関連付けられた第１の識別子を受信する。いくつかの実施形態では、メディアガイドアプリケーションは、識別子を記憶装置９０８内に記憶する。例えば、メディアガイドアプリケーションが、特定のユーザ機器デバイス（例えば、図１０に図示および説明されるユーザ機器のいずれか）上で実行されるとき、メディアガイドアプリケーションは、記憶装置９０８内に記憶されているため、識別子を自動的に受信する。他の実施形態では、メディアガイドアプリケーションは、ユーザ入力インターフェース９１０を使用して、識別子のユーザ入力を受信する。識別子は、数字および文字等の任意の有限文字列を含んでいてもよい。例えば、受信された識別子は、「１２３４」または「Ｊｏｈｎｌ２３」であり得る。メディアガイドアプリケーションは、次いで、本識別子がユーザプロフィールのインデックスデータ構造内に記憶される識別子に合致するかどうかを判定し、該当する場合、プロフィールにアクセスしてもよい。
【０１３３】
プロセス１１００は、１１０４に進んでもよく、そこで、メディアガイドアプリケーションは、第１のユーザが第１のユーザに対してブロックされているメディアアセットにアクセスすることを可能にするための要求を受信する。上記図１−２に説明されるように、メディアガイドアプリケーションは、記憶装置９０８内にまたはメディアガイドデータソース１０１８に遠隔で記憶され得る、データ構造内に、「Ｊｏｈｎ１２３」に関するプロフィール等の各個々のプロフィールを記憶する。例えば、メディアガイドアプリケーションは、変数および定数が具体的ユーザ（例えば、Ｊｏｈｎ）に適切な値で初期化される、ユーザプロフィールクラスのオブジェクトを記憶してもよい。メディアガイドアプリケーションは、第１のユーザから、ユーザ入力インターフェース９１０を介して、メディアアセットにアクセスするための要求を受信してもよい。
【０１３４】
メディアガイドアプリケーションは、次いで、メディアアセットの評価等のメディアアセットと関連付けられたメタデータと第１のユーザプロフィールに対応するデータ構造内に記憶されるデータを比較し、メディアアセットがユーザに対してブロックされているかどうかを判定する。例えば、メディアガイドアプリケーションは、「ＴＶ−ＭＡ」の評価を伴う番組にアクセスするためのユーザ要求を受信してもよい。メディアガイドアプリケーションは、本評価と第１のユーザプロフィールに対応するデータ構造内に記憶される閾値評価「ＴＶ−１４」を比較してもよい。要求される番組の評価は、第１のユーザプロフィール内に記憶される評価より高いため、メディアガイドアプリケーションは、番組をブロックし、第１のユーザがそれにアクセスすることを防止してもよい。
【０１３５】
いくつかの実施形態では、メディアガイドアプリケーションは、次いで、表示のために（例えば、表示１００または３００上に）、通信ネットワーク１０１４を介して、メディアにアクセスするための要求を含有する通知を別のユーザに伝送するためのオプション（例えば、３０６）を生成する。伝送するためのオプション（例えば、３０６）の選択に応じて、プロセス１１００は、１１０６に進んでもよい。他の実施形態では、メディアガイドアプリケーションは、任意のさらなるユーザ入力を伴わずに、メディアアセットにアクセスすることを要求するための通知を別のユーザに自動的に伝送してもよい。
【０１３６】
プロセス１１００は、１１０６に進んでもよく、そこで、メディアガイドアプリケーションは、第１のユーザと関連付けられた第１のプロフィールを使用して、第１のユーザに対してメディアアセットへのアクセスを承認する権限を有する、別のユーザが存在するかどうかを判定する。メディアガイドアプリケーションは、記憶装置９０８内にまたはメディアガイドデータソース１０１８に遠隔で記憶され得る、第１のプロフィールと関連付けられたデータ構造にクエリし、ユーザがアクセスを承認するための権限を有するように指定されているかどうかを判定する。例えば、メディアガイドアプリケーションは、Ｃ＋＋等のオブジェクト指向プログラミング言語においてカスタム構造を宣言し得、構造は、別のユーザの識別子を伴うストリングと、ユーザが第１のユーザに対してメディアアセットへのアクセスを承認する権限を有するかどうかを示すブール値とを含有する。メディアガイドアプリケーションは、上記に説明される２つのタイプを伴う構造「承認者」を宣言し、次いで、承認する権限を有するユーザ毎に、インスタンスを作成し、それらを第１のプロフィール内に記憶する、スクリプトを実行してもよい（例えば、それぞれ、ブール値承認者＝「真」を有する、「承認者母親」および「承認者父親」）。代替として、メディアガイドアプリケーションは、アクセスを承認する権限を有するユーザをそのようなデータ構造内にリストまたはベクトルとして記憶し得る。
【０１３７】
メディアガイドアプリケーションは、次いで、クエリが、メディアアセットへのアクセスを承認する権限を伴うユーザを含有するデータ構造が、存在する、空である、またはユーザの１つもしくはそれを上回る識別子を含有することを返すかどうかに基づいて、アクセスを承認するための権限を伴うユーザが存在するかどうかを判定する。データ構造が、存在しない、または空である場合、メディアガイドアプリケーションは、アクセスを承認する権限を有する別のユーザが存在しないことを判定してもよい。データ構造が、１つまたはそれを上回る識別子を含有する場合、メディアガイドアプリケーションは、アクセスを承認する権限を有する別のユーザが存在することを判定してもよい。
【０１３８】
プロセス１１０６が、アクセスを承認する権限を有する他のユーザが存在しないことを判定する場合、プロセス１１００は、１１２０に進んでもよく、そこで、メディアガイドアプリケーションは、第１のユーザがメディアアセットにアクセスすることができないことのメッセージを返す。例えば、メディアガイドアプリケーションは、アクセスを承認するための権限を伴ういずれのユーザも第１のユーザのアカウントと関連付けられないため、通知が送達され得ないことの表示を生成してもよい（例えば、表示１００または３００上に）。
【０１３９】
いくつかの実施形態では、１１０６において、メディアガイドアプリケーションが、アクセスを承認する権限を有する別のユーザが存在することを判定する場合、プロセス１１００は、図１３に概略されるように、１１０６と１１０８との間で１つまたはそれを上回る付加的ステップを行ってもよく、そこで、メディアガイドアプリケーションは、他のユーザと関連付けられたプロフィールを使用して、ユーザ機器デバイス（例えば、図１０に図示および説明されるユーザ機器のいずれか）が他のユーザと関連付けられるかどうかを判定する。メディアガイドアプリケーションは、第１のプロフィールから、メディアアセットのアクセスを承認する権限を有する別のユーザと関連付けられた識別子を読み出してもよい。メディアガイドアプリケーションは、次いで、本識別子が、記憶装置９０８内にまたはメディアガイドデータソース１０１８に遠隔で記憶され得る、ユーザプロフィールのインデックスデータ構造内に記憶される識別子に合致するかどうかを判定し、該当する場合、プロフィールにアクセスしてもよい。メディアガイドアプリケーションは、次いで、第１のユーザから通知を受信することが可能であり得る、メディアアセットへのアクセスを承認する権限を伴うユーザと関連付けられたユーザ機器デバイス（例えば、図１０に図示および説明されるユーザ機器のいずれか）に関するプロフィールを含有するデータ構造にクエリする。１１０６に説明されたように、データ構造が、存在しない、または空である場合、メディアガイドアプリケーションは、他のユーザと関連付けられたユーザ機器デバイスが存在しないことを判定する。データ構造が、１つまたはそれを上回る識別子を含有する場合、メディアガイドアプリケーションは、他のユーザと関連付けられたユーザ機器デバイスが存在することを判定する。
【０１４０】
プロセス１１０６が、アクセスを承認する権限を有するユーザが存在することを判定する場合、プロセス１１００は、１１０８に進んでもよく、そこで、メディアガイドアプリケーションは、他のユーザと関連付けられたユーザ機器デバイスの表示（例えば、２００または４００）上において、第１のユーザがブロックされているメディアアセットへのアクセスを要求したことの通知（例えば、２０６または４１２）を他のユーザに伝送する。メディアガイドアプリケーションは、他のユーザと関連付けられたユーザ機器デバイスに関するコンタクト情報を他のユーザプロフィールに対応するデータ構造から読み出し、第１のユーザがブロックされているメディアアセットにアクセスすることを要求していることの通知（例えば、２０６または４１２）を伝送してもよい。例えば、メディアガイドアプリケーションは、他のユーザと関連付けられた無線ユーザ通信デバイス１００６（例えば、携帯電話）に関する電話番号を読み出してもよい。メディアガイドアプリケーションは、次いで、テキストメッセージを介して、通知を無線通信デバイス１００６に伝送してもよい。
【０１４１】
プロセス１１００は、１１１０に進んでもよく、そこで、メディアガイドアプリケーションは、他のユーザと関連付けられたユーザ機器デバイス（例えば、図１０に図示および説明されるユーザ機器のいずれか）から、他のユーザと関連付けられた識別子を受信する。いくつかの実施形態では、メディアガイドアプリケーションは、識別子を記憶装置９０８内に記憶してもよい。例えば、メディアガイドアプリケーションが、特定のユーザ機器デバイス上で実行されると、メディアガイドアプリケーションは、記憶装置９０８内に記憶されているため、識別子を自動的に受信する。他の実施形態では、メディアガイドアプリケーションは、ユーザ入力インターフェース９１０を使用した識別子のユーザ入力を受信してもよい。識別子は、数字および文字等の任意の有限文字列を含んでいてもよい。例えば、入力された識別子は、「１２３４」または「Ｍｏｍｌ９８０」であり得る。
【０１４２】
プロセス１１００は、１１１２に進んでもよく、そこで、メディアガイドアプリケーションは、他のユーザと関連付けられた識別子が他のユーザのユーザプロフィールと関連付けられた識別子に合致することを判定する。上記図１−２に説明されるように、メディアガイドアプリケーションは、記憶装置９０８内にまたはメディアガイドデータソース１０１８に遠隔で記憶され得る、データ構造内に、「Ｍｏｍ１９８０」に関するプロフィール等の各個々のプロフィールを記憶してもよい。例えば、メディアガイドアプリケーションは、そこで、変数および定数が具体的ユーザ（例えば、母親）に適切な値で初期化される、ユーザプロフィールクラスのインスタンス化されたオブジェクトを記憶してもよい。メディアガイドアプリケーションは、次いで、本識別子とユーザプロフィールのインデックスデータ構造内に記憶される識別子を比較し、合致が存在するかどうかを判定してもよい。合致が存在する場合、識別子は、他のユーザと関連付けられた記憶されたプロフィールに対応する。合致が存在しない場合、識別子は、記憶されたプロフィールに対応しない。
【０１４３】
識別子が、記憶されたプロフィールに対応しない場合、プロセス１１００は、１１０６に戻ってもよく、そこで、メディアガイドアプリケーションは、第１のユーザと関連付けられた第１のプロフィールを使用して、第１のユーザに対してメディアアセットへのアクセスを承認する権限を有する、さらに別のユーザを判定してもよい。例えば、メディアガイドアプリケーションが、通知が送信されたユーザが自身の識別子を正しく打ち込むことができないことを判定する場合、メディアガイドアプリケーションは、通知を伝送するためのさらに別のユーザを判定することを試みてもよい。いくつかの実施形態では、メディアガイドアプリケーションは、閾値入力回数に到達するまで、識別子のユーザ入力インターフェース９１０を使用した他のユーザからの複数回の入力を受信してもよいが、それに到達した時点で、メディアガイドアプリケーションは、アクセスを承認するための権限を伴うさらに別のユーザが存在するかどうかを判定することを試みてもよい。例えば、メディアガイドアプリケーションは、子供の片方の親から、５回まで、メモリ内に記憶される任意の識別子に合致しない識別子を受信してもよいが、その時点で、メディアガイドアプリケーションは、同様に子供に対してメディアアセットへのアクセスを承認するための権限を有する場合、通知を他方の親に伝送してもよい。
【０１４４】
識別子が、記憶されたプロフィールに対応する場合、プロセス１１００は、１１１４に進んでもよく、そこで、メディアガイドアプリケーションは、第１のユーザ機器デバイス上における第１のユーザによるアクセスのためにメディアアセットをブロック解除するためのオプションを生成する。メディアガイドアプリケーションは、表示のために（例えば、表示２００または４００上に）、他のユーザの識別子が他のユーザのプロフィールと関連付けられた識別子に合致することの判定に応答して、第１のユーザ機器デバイス（例えば、図１０に図示および説明されるユーザ機器のいずれか）上における第１のユーザによるアクセスのためにメディアアセットをブロック解除するためのオプション（例えば、２０８または４１４）を生成してもよい。例えば、メディアガイドアプリケーションが、母親と関連付けられたプロフィールにポイントする受信された識別子「Ｍｏｍｌ９８０」に基づいて、デバイスのユーザが母親であることを判定することに応じて、メディアガイドアプリケーションは、表示のために（例えば、表示２００または４００上に）、ユーザである母親にメディアアセットをブロック解除することができることを示す、選択可能アイコン（例えば、２０８または４１４）または他の選択可能特徴を第１のユーザがアクセスすることを所望していることの通知（例えば、２０６または４１２）内に生成する。
【０１４５】
プロセス１１００は、１１１６に進んでもよく、そこで、メディアガイドアプリケーションは、メディアアセットをブロック解除するためのオプションの選択を受信してもよい。メディアガイドアプリケーションは、図５−６に概略されるように、第１のユーザプロフィール内に、第１のユーザがアクセスすることが認可される具体的メディアアセットを参照する変数と、そのメディアアセットアクセスすることを可能にするために付随する任意の条件とを含有する、Ｃ＋＋における構造等のデータ構造を記憶してもよい。例えば、他のユーザがメディアアセットの第１のユーザによるアクセスを承認した後、メディアガイドアプリケーションは、メディアアセットをブロック解除し、第１のユーザがメディアアセットにアクセスすることを可能にしてもよい。加えて、他のユーザが、メディアアセットにアクセスするために付随する任意の条件を規定している場合、メディアガイドアプリケーションは、それらも同様に実装し、それらを上記に説明されるデータ構造内に記憶するであろう。例えば、メディアガイドアプリケーションが、他のユーザから、第１のユーザが８ｐｍ以降テレビ番組を視聴するべきではないことのインジケーションを受信する場合、メディアガイドアプリケーションは、変数「終了時間」を「８ｐｍ」であるように記憶および初期化し、８ｐｍまでのみ番組をブロック解除するであろう。
【０１４６】
プロセス１１００は、１１１８に進んでもよく、そこで、メディアガイドアプリケーションは、第１のユーザ機器上における第１のユーザによるアクセスのためにブロックされているメディアアセットをブロック解除する。例えば、メディアガイドアプリケーションは、上記図５−６に説明されるように、第１のユーザプロフィール内に、第１のユーザがアクセスすることが認可される具体的メディアアセットを参照する変数と、アクセスすることを可能にするために付随する任意の条件とを含有する、Ｃ＋＋における構造等のデータ構造を記憶し、第１のユーザが、第１のユーザ機器（例えば、図１０に図示および説明されるユーザ機器のいずれか）を使用して、データ構造内に記憶される条件に準拠して、メディアアセットにアクセスすることを可能にしてもよい。
【０１４７】
図１２は、本開示のいくつかの実施形態による、第１のユーザと関連付けられた第１のプロフィール内において、第１のユーザに対してメディアアセットへのアクセスを承認する権限を有する第２のユーザを判定するための例証的ステップのセットのフロー図である。プロセス１２００は、第１のユーザによって要求されるメディアアセットへのアクセスを承認することができる別のユーザを判定するために使用されてもよい。プロセス１２００またはその任意のステップは、図９−１０に示されるデバイスのいずれか上で生じる、またはそれによって提供され得ることに留意されたい。例えば、プロセス１２００は、メディアガイドアプリケーション（例えば、図１０に図示および説明されるデバイスのいずれか上に実装される）によって命令されるように、制御回路９０４（図９）によって実行されてもよい。
【０１４８】
プロセス１２００は、１２０２から開始し、そこで、メディアガイドアプリケーションは、第１のユーザと関連付けられた第１のプロフィールを使用して、第１のユーザに対してメディアアセットへのアクセスを承認する権限を有する別のユーザを判定するためのプロセスを開始する。例えば、メディアガイドアプリケーションは、記憶装置９０８内にまたは通信ネットワーク１０１４を介してメディアガイドデータソース１０１８において遠隔的にのいずれかで記憶される、第１のプロフィールにアクセスすることによって、第１のユーザに対してメディアアセットへのアクセスを承認する権限を有する別のユーザを判定してもよい。
【０１４９】
プロセス１２００は、１２０４に進んでもよく、そこで、メディアガイドアプリケーションは、受信された第１の識別子とユーザプロフィールのインデックスデータ構造内に記憶される複数の識別子を比較する。メディアガイドアプリケーションは、受信された識別子と、記憶装置９０８内にまたは通信ネットワーク１０１４を介してアクセス可能なメディアガイドデータソース１０１８において遠隔的にのいずれかでインデックスデータ構造内に記憶される複数の識別子とを比較してもよい。メディアガイドアプリケーションは、ユーザプロフィールへのポインタとインデックスデータ構造内の各識別子を関連付けてもよい。
【０１５０】
プロセス１２００は、１２０６に進んでもよく、そこで、メディアガイドアプリケーションは、第１の識別子がユーザプロフィールのインデックスデータ構造内に記憶される識別子に合致するかどうかを判定する。メディアガイドアプリケーションは、受信された識別子およびインデックスデータ構造内に記憶される識別子のコンテンツを比較してもよい。例えば、受信された識別子は、ストリングとして記憶され、ストリングとしてインデックスデータ構造内に記憶される識別子と比較されてもよい。メディアガイドアプリケーションは、受信された識別子の全ての文字が記憶された識別子内の全ての文字に合致することを判定する場合、メディアガイドアプリケーションは、２つの識別子が「真」に合致することのブール値を返してもよい。
【０１５１】
第１の識別子が、ユーザプロフィールのインデックスデータ構造内に記憶される識別子に合致しない場合、プロセス１２００は、１２０８に進んでもよく、そこで、メディアガイドアプリケーションは、第１の識別子が記憶されたプロフィールに対応しないことのメッセージを返す。この場合、メディアガイドアプリケーションは、第１のユーザがプロフィールを有していないため、第１のユーザに対してアクセスを承認するための権限を伴うユーザを判定することが不可能となるであろう。したがって、メディアアセットは、第１のユーザに対してブロックされたままとなるであろう。
【０１５２】
第１の識別子が、ユーザプロフィールのインデックスデータ構造内に記憶される識別子に合致する場合、プロセス１２００は、１２１０に進んでもよく、そこで、メディアガイドアプリケーションは、第１のユーザプロフィールにアクセスする。メディアガイドアプリケーションは、インデックスデータ構造内に合致された識別子とともに記憶されるデータに基づいて、第１のユーザプロフィールにアクセスしてもよい。例えば、メディアガイドアプリケーションは、インデックスデータ構造内の識別子と関連付けられたデータ構造へのポインタに基づいて、第１のユーザプロフィールと関連付けられたデータ構造を判定してもよい。メディアガイドアプリケーションは、次いで、第１のユーザプロフィールに対応するデータ構造にアクセスしてもよい。
【０１５３】
プロセス１２００は、１２１２に進んでもよく、そこで、メディアガイドアプリケーションは、第１のユーザに対してメディアアセットへのアクセスを承認する権限を有する、別のユーザに関する第１のプロフィールを含有する、メモリ内に記憶されたデータ構造にクエリする。例えば、メディアガイドアプリケーションは、上記図１１に説明されるように、識別子およびユーザがメディアアセットへのアクセスを承認するための権限を有するかどうかのインジケーションを含有する、Ｃ＋＋等のオブジェクト指向プログラミング言語において構造を宣言し得る。メディアガイドアプリケーションは、次いで、クエリが、メディアアセットへのアクセスを承認する権限を伴うユーザを含有するデータ構造が、存在する、空である、またはユーザの１つもしくはそれを上回る識別子を含有することを返すかどうかに基づいて、アクセスを承認するための権限を伴うユーザが存在するかどうかを判定してもよい。
【０１５４】
プロセス１２００は、１２１４に進んでもよく、そこで、メディアガイドアプリケーションは、第１のプロフィールが、第１のユーザに対してメディアアセットへのアクセスを承認する権限を有する別のユーザを含有するかどうかを判定する。メディアガイドアプリケーションは、１２１２におけるクエリに基づいて、第１のプロフィールが別のユーザを含有するかどうかを判定してもよい。データ構造が、存在しない、または空である場合、メディアガイドアプリケーションは、アクセスを承認する権限を有する別のユーザが存在しないことを判定する。データ構造が、１つまたはそれを上回る識別子を含有する場合、メディアガイドアプリケーションは、アクセスを承認する権限を有する別のユーザが存在することを判定する。
【０１５５】
第１のプロフィールが、メディアアセットへのアクセスを承認する権限を有する別のユーザを含有しない場合、プロセス１２００は、１２１６に進んでもよく、そこで、メディアガイドアプリケーションは、第１のユーザによるアクセスのためにメディアアセットをブロック解除するユーザが存在しないことのメッセージを返してもよい。この場合、メディアガイドアプリケーションは、メディアアセットへのアクセスを可能にするための通知を伝送する任意のユーザを見出すことができない。したがって、メディアアセットは、第１のユーザに対してブロックされたままとなるであろう。
【０１５６】
第１のプロフィールが、メディアアセットへのアクセスを承認する権限を有する別のユーザを含有する場合、プロセス１２００は、１２１８に進んでもよく、そこで、メディアガイドアプリケーションは、第１のユーザに対してメディアアセットへのアクセスを承認する権限を有する、他のユーザと関連付けられた識別子を返す。例えば、メディアガイドアプリケーションは、ユーザであるＪｏｈｎ（例えば、ユーザ１０６）と関連付けられたプロフィールにクエリすることに基づいて、「Ｍｏｍ１９８０」（例えば、ユーザである母親の識別子１１２）を返してもよい。
【０１５７】
図１３は、本開示のいくつかの実施形態による、第２のユーザと関連付けられた第２のプロフィールから、第２のユーザ機器デバイスが第２のユーザと関連付けられるかどうかを判定するための例証的ステップのセットのフロー図である。プロセス１３００は、メディアアセットをブロック解除するための第１のユーザから通知を受信することができる、ユーザ機器デバイス（例えば、図１０に図示および説明されるユーザ機器のいずれか）が存在するかどうかを判定するために使用されてもよい。プロセス１３００またはその任意のステップは、図９−１０に示されるデバイスのいずれか上で生じる、またはそれによって提供され得ることに留意されたい。例えば、プロセス１３００は、メディアガイドアプリケーション（例えば、図１０に図示および説明されるデバイスのいずれか上に実装される）によって命令されるように、制御回路９０４（図９）によって実行されてもよい。
【０１５８】
プロセス１３００は、１３０２から開始し、そこで、メディアガイドアプリケーションは、他のユーザと関連付けられたプロフィールを使用して、ユーザ機器デバイスが他のユーザと関連付けられるかどうかを判定するためのプロセスを開始する。例えば、メディアガイドアプリケーションは、他のユーザと関連付けられたプロフィール内において、他のユーザと関連付けられたユーザ機器（例えば、図１０に図示および説明されるユーザ機器のいずれか）が第１のユーザからの通知２０６を表示する（例えば、表示２００または４００上に）ために使用されることができることを判定する。
【０１５９】
プロセス１３００は、１３０４に進んでもよく、そこで、メディアガイドアプリケーションは、メモリ内に記憶されたデータ構造から、第１のユーザプロフィールに対応する、他の識別子を読み出す。例えば、メディアガイドアプリケーションは、記憶装置９０８内にまたは通信ネットワーク１０１４を介してメディアガイドデータソース１０１８に遠隔で記憶されている第１のプロフィールに対応するデータ構造から、識別子を読み出してもよい。メディアガイドアプリケーションは、他のユーザに対応するストリング「Ｍｏｍ１９８０」を読み出してもよい。
【０１６０】
プロセス１３００は、１３０６に進んでもよく、そこで、メディアガイドアプリケーションは、他の識別子がユーザプロフィールのインデックスデータ構造内に記憶される識別子に合致するかどうかを判定してもよい。メディアガイドアプリケーションは、上記図１２に説明されるものと同一方法において、読み出された他の識別子がユーザプロフィールのインデックスデータ構造内に記憶された識別子に合致するかどうかを判定してもよい。要するに、メディアガイドアプリケーションは、読み出された他の識別子とインデックスデータ構造内に記憶される複数の識別子を比較し、合致が存在するかどうかを判定してもよい。
【０１６１】
他の識別子が、インデックスデータ構造内に記憶される識別子に合致しない場合、プロセス１３００は、１３０８に進んでもよく、そこで、メディアガイドアプリケーションは、他の識別子が記憶されたプロフィールに対応しないことのメッセージを返す。この場合、メディアガイドアプリケーションは、識別子と関連付けられたプロフィールが存在しないため、メディアアセットへのアクセスを可能にするための通知を伝送するためのユーザ機器デバイス（例えば、図１０に図示および説明されるユーザ機器のいずれか）を判定することが可能ではなく、プロセス１３００に、「いいえ」を返させるであろう。メディアガイドアプリケーションは、次いで、アクセスを承認するための権限を伴う任意の他のユーザが存在するかどうかを判定することを試みてもよい（例えば、プロセス１１００は、１１０６に戻るであろう）。
【０１６２】
他の識別子が、インデックスデータ構造内に記憶される識別子に合致する場合、プロセス１３００は、１３１０に進んでもよく、そこで、メディアガイドアプリケーションは、他のユーザプロフィールにアクセスする。メディアガイドアプリケーションは、インデックスデータ構造内に合致された識別子とともに記憶されるデータに基づいて、他のユーザプロフィールにアクセスする。例えば、メディアガイドアプリケーションは、インデックスデータ構造内の識別子と関連付けられたデータ構造へのポインタに基づいて、他のユーザプロフィールと関連付けられたデータ構造を判定する。メディアガイドアプリケーションは、次いで、他のユーザプロフィールに対応するデータ構造にアクセスする。
【０１６３】
プロセス１３００は、１３１２に進んでもよく、そこで、メディアガイドアプリケーションは、通知を受信することができる他のユーザと関連付けられたユーザ機器デバイスに関する他のユーザプロフィールを含有する、メモリ内に記憶されたデータ構造にクエリする。例えば、メディアガイドアプリケーションは、デバイスの識別子およびコンタクト情報を含有する、上記図１１に説明されるものに類似する、Ｃ＋＋等のオブジェクト指向プログラミング言語において構造を宣言し得る。例えば、コンタクト情報は、携帯電話番号または電子メールアドレスであり得る。メディアガイドアプリケーションは、次いで、クエリが、他のユーザと関連付けられたユーザ機器デバイス（例えば、図１０に図示および説明されるユーザ機器のいずれか）のデータ構造が、存在する、空である、またはユーザの１つもしくはそれを上回る識別子を含有することを返すかどうかに基づいて、他のユーザがブロックされているメディアにアクセスすることを可能にするための通知を受信することができる、デバイスが存在するかどうかを判定してもよい。
【０１６４】
プロセス１３００は、１３１４に進んでもよく、そこで、メディアガイドアプリケーションは、他のユーザに関するプロフィールが他のユーザと関連付けられたユーザ機器デバイスを含有するかどうかを判定する。メディアガイドアプリケーションは、１３１４におけるクエリに基づいて、他のプロフィールが他のユーザと関連付けられたユーザ機器デバイス（例えば、図１０に図示および説明されるユーザ機器のいずれか）を含有するかどうかを判定する。データ構造が、存在しない、または空である場合、メディアガイドアプリケーションは、他のユーザと関連付けられたユーザ機器デバイスが存在しないことを判定する。データ構造が、１つまたはそれを上回る識別子を含有する場合、メディアガイドアプリケーションは、他のユーザと関連付けられたユーザ機器デバイスが存在することを判定する。
【０１６５】
他のユーザに関するプロフィールが、他のユーザと関連付けられたユーザ機器デバイスを含有しない場合、プロセス１３００は、１３１６に進んでもよく、そこで、メディアガイドアプリケーションは、他のユーザと関連付けられたユーザ機器デバイス（例えば、図１０に図示および説明されるユーザ機器のいずれか）が存在しないことのメッセージを返す。この場合、メディアガイドアプリケーションは、それを受信することができる記憶されたユーザ機器が存在しないため、通知を伝送することが不可能であって、プロセス１３００に、「いいえ」を返させるであろう。メディアガイドアプリケーションは、次いで、アクセスを承認するための権限を伴う任意の他のユーザが存在するかどうかを判定することを試みてもよい（例えば、プロセス１１００は、１１０６に戻るであろう）。
【０１６６】
他のユーザに関するプロフィールが、他のユーザと関連付けられたユーザ機器デバイスを含有する場合、プロセス１３００は、１３１８に進んでもよく、そこで、メディアガイドアプリケーションは、他のユーザと関連付けられたユーザ機器デバイスの識別子を返す。例えば、メディアガイドアプリケーションは、他のユーザ（例えば、母親）と関連付けられたプロフィールにクエリすることに基づいて、ユーザ機器デバイス（例えば、図１０に図示および説明されるユーザ機器のいずれか）に対応する識別子「母親の電話」を返してもよい。
【０１６７】
図１４は、本開示のいくつかの実施形態による、第２の識別子が第２のプロフィールと関連付けられた識別子に合致することを判定するための例証的ステップのフロー図である。プロセス１４００は、受信された第２の識別子がメモリ内に記憶されるプロフィールの識別子に対応するかどうかを判定するために使用されてもよい。プロセス１４００またはその任意のステップは、図９−１０に示されるデバイスのいずれか上で生じる、またはそれによって提供され得ることに留意されたい。例えば、プロセス１４００は、メディアガイドアプリケーション（例えば、図１０に図示および説明されるデバイスのいずれか上に実装される）によって命令されるように、制御回路９０４（図９）によって実行されてもよい。
【０１６８】
プロセス１４００は、１４０２から開始し、そこで、メディアガイドアプリケーションは、他の識別子が他のユーザプロフィールと関連付けられた識別子に合致するかどうかを判定するためのプロセスを開始する。例えば、メディアガイドアプリケーションは、受信された識別子と記憶装置９０８内にまたは通信ネットワーク１０１４を介してメディアガイドデータソース１０１８において遠隔的にのいずれかでインデックスデータ構造内に記憶される識別子とを比較することによって、他のユーザに対応するユーザプロフィールが存在するかどうかを判定する。
【０１６９】
プロセス１４００は、１４０４に進んでもよく、そこで、メディアガイドアプリケーションは、受信された他の識別子とユーザプロフィールのインデックスデータ構造内に記憶される複数の識別子を比較してもよい。第１の識別子に対応する第１のユーザプロフィールを判定するための上記図１２に関して説明されるプロセスと同様に、メディアガイドアプリケーションは、受信された識別子と記憶装置９０８においてまたは通信ネットワーク１０１４を介してアクセス可能なメディアガイドデータソース１０１８において遠隔的にのいずれかでインデックスデータ構造内に記憶される複数の識別子とを比較してもよい。メディアガイドアプリケーションは、ユーザプロフィールへのポインタとインデックスデータ構造内の各識別子を関連付けてもよい。
【０１７０】
プロセス１４００は、１４０６に進んでもよく、そこで、メディアガイドアプリケーションは、他の識別子がユーザプロフィールのインデックスデータ構造内に記憶される識別子に合致するかどうかを判定する。第１の識別子に対応する第１のユーザプロフィールを判定するための上記に説明されるプロセス１２００と同様に、メディアガイドアプリケーションは、受信された他の識別子およびインデックスデータ構造内に記憶される識別子のコンテンツを比較してもよい。例えば、受信された他の識別子は、ストリングとして記憶され、ストリングとしてインデックスデータ構造内に記憶される識別子と比較されてもよい。メディアガイドアプリケーションが、受信された他の識別子内の全ての文字が記憶された識別子内の全ての文字に合致することを判定する場合、メディアガイドアプリケーションは、２つの識別子が「真」に合致することのブール値出力を返してもよい。
【０１７１】
他の識別子が、ユーザプロフィールのインデックスデータ構造内に記憶される識別子に合致しない場合、プロセス１４００は、１４０８に進んでもよく、そこで、メディアガイドアプリケーションは、他の識別子が記憶されたプロフィールに対応しないことを返す。この場合、メディアガイドアプリケーションは、アクセスを提供するための権限を有するユーザが、現在、通知が伝送されたユーザ機器デバイス（例えば、図１０に図示および説明されるユーザ機器のいずれか）を使用しているかどうかを認証することが不可能となるであろう。メディアガイドアプリケーションは、次いで、アクセスを承認するための権限を伴う任意の他のユーザが存在するかどうかを判定することを試みてもよい（例えば、プロセス１１００は、１１１４から１１０６に戻るであろう）。
【０１７２】
他の識別子が、ユーザプロフィールのインデックスデータ構造内に記憶される識別子に合致する場合、プロセス１４００は、１４１０に進んでもよく、そこで、メディアガイドアプリケーションは、他の識別子が他のユーザプロフィールに対応する識別子に合致することを返してもよい。例えば、メディアガイドアプリケーションは、インデックスデータ構造内の識別子と関連付けられたデータ構造へのポインタに基づいて、他のユーザプロフィールと関連付けられたデータ構造を判定してもよい。メディアガイドアプリケーションは、次いで、第１のユーザプロフィールに対応するデータ構造にアクセスしてもよい。
【０１７３】
図１１−１５のそれぞれのステップまたは説明は、本開示の任意の他の実施形態とともに使用され得ることが考慮される。加えて、図１１−１５に関して説明されるステップおよび説明は、本開示の目的を促進するように、代替的な順序で、または並行して行われてもよい。例えば、これらのステップのそれぞれは、システムまたは方法の遅延を減少または速度を増加させるように、任意の順序で、または並行して、もしくは実質的に同時に行われてもよい。さらに、図１１−１５のステップのうちの１つまたはそれを上回るものを行うために、図１−１０に関して議論されるデバイスまたは機器のいずれかを使用できることに留意されたい。
【０１７４】
前述のプロセスは、限定ではなく、例証であることが意図される。当業者は、本明細書で議論されるプロセスのステップが、省略される、修正される、組み合わせられる、および／または並べ替えられてもよく、任意の付加的ステップが、本発明の範囲から逸脱することなく、行われてもよいことを理解するであろう。より一般的には、前述の開示は、限定ではなく、例示であることを意図する。続く請求項のみが、本発明が包含するものに関する境界を設定することを意図する。さらに、いずれか１つの実施形態で説明される特徴および制限は、本明細書の任意の他の実施形態に適用され得、一実施形態に関するフローチャートまたは実施例は、好適な様式で任意の他の実施形態と組み合わせられ、異なる順序で行われ、または並行して行われ得ることに留意されたい。加えて、本明細書で説明されるシステムおよび方法は、リアルタイムで行われてもよい。また、上記で説明されるシステムおよび／または方法は、他のシステムならびに／もしくは方法に適用され、またはそれらに従って使用され得ることにも留意されたい。
【図１】
2019508994.tif 000003
【図２】
2019508994.tif 000004
【図３】
2019508994.tif 000005
【図４】
2019508994.tif 000006
【図５】
2019508994.tif 000007
【図６】
2019508994.tif 000008
【図７】
2019508994.tif 000009
【図８】
2019508994.tif 000010
【図９】
2019508994.tif 000011
【図１０】
2019508994.tif 000012
【図１１】
2019508994.tif 000013
【図１２】
2019508994.tif 000014
【図１３】
2019508994.tif 000015
【図１４】
2019508994.tif 000016
【国際調査報告】
2019508994.tif 000017
2019508994.tif 000018
2019508994.tif 000019